(57)【要約】  使用者の利便性を向上させることが可能な表示入力装置を提供する。  表示入力装置の制御部は、表示入力部に指示し、ワークフローを作成及び登録するためのワークフロー作成登録画面を表示させて、登録する機能として選択された基本機能である第１機能、第１機能の設定内容、登録する機能として選択された組合せ機能である第２機能、及び、第２機能の設定内容、を示すデータを含む基本機能と組合せ機能とを組み合わせたワークフローを作成及び登録する操作の受け付けを行わせる。
2015156159.tif 000002
【特許請求の範囲】
【請求項１】
単体での使用が可能な基本機能及び前記基本機能に組み合わせての使用が可能な組合せ機能を含む複数種の機能を搭載した画像形成装置に対して設定を行うための表示入力装置であって、
画面を表示し、操作を受け付ける表示入力部と、
データを記憶する記憶部と、
前記表示入力部の表示動作を制御するとともに、前記表示入力部に対して行われた操作を認識する制御部と、を備え、
前記制御部は、前記表示入力部に指示し、ワークフローを作成及び登録するためのワークフロー作成登録画面を表示させて、登録する機能として選択された前記基本機能である第１機能、前記第１機能の設定内容、登録する機能として選択された前記組合せ機能である第２機能、及び、前記第２機能の設定内容、を示すデータを含む前記基本機能と前記組合せ機能とを組み合わせた前記ワークフローを作成及び登録する操作の受け付けを行わせるとともに、登録された前記ワークフローを呼び出すためのワークフロー管理画面を表示させて、登録された前記ワークフローを呼び出す操作の受け付けを行わせ、
前記制御部は、前記ワークフローの登録操作が前記表示入力部に対して行われたことを認識すると、前記ワークフローを前記記憶部に記憶させ、前記ワークフローの呼び出し操作が前記表示入力部に対して行われたことを認識すると、呼び出しを受けた前記ワークフローに含まれるデータで示される設定内容に基づくジョブを前記画像形成装置に実行させるための処理を行う
ことを特徴とする表示入力装置。
【請求項２】
前記制御部は、ジョブ実行に際して選択された前記基本機能の設定項目のうち現在の設定値を変更する設定項目の選択を受け付けるための項目選択画面を前記表示入力部に表示させ、選択された前記設定項目の設定値を変更する操作の受け付けを前記表示入力部に行わせるとともに、前記項目選択画面で設定内容を設定した前記基本機能のジョブを前記画像形成装置に実行させるための操作の受け付けを前記表示入力部に行わせ、前記画像形成装置にジョブを実行させるための操作を前記表示入力部が受け付けたことを認識すると、前記項目選択画面で設定された前記基本機能の設定内容を示すデータを前記画像形成装置の主制御部に向けて送信し、
前記項目選択画面内には、ワークフロー作成キーが配されており、
前記制御部は、前記ワークフロー作成キーに対して操作が行われたことを認識すると、前記項目選択画面から前記ワークフロー作成登録画面への表示画面の切り替えを前記表示入力部に行わせるとともに、前記項目選択画面で設定内容が設定された前記基本機能が前記第１機能として選択されたと認識し、
前記制御部は、前記項目選択画面から前記ワークフロー作成登録画面への表示画面の切り替えを前記表示入力部に行わせるとき、前記項目選択画面で設定された設定内容を前記第１機能の設定内容として前記記憶部に保持させ続ける
ことを特徴とする請求項１に記載の表示入力装置。
【請求項３】
前記制御部は、前記ワークフロー作成キーに対して操作が行われたとき、前記ワークフロー作成登録画面として、前記第１機能として選択した前記基本機能と前記組合せ機能とを組み合わせた前記ワークフローを作成及び登録するか、前記第１機能として選択した前記基本機能単体の前記ワークフローを作成及び登録するか、の選択を受け付けるための組合せ確認画面を前記表示入力部に表示させ、前記基本機能と前記組合せ機能とを組み合わせた前記ワークフローを作成及び登録する旨が選択されたことを認識すると、前記基本機能と前記組合せ機能とを組み合わせた前記ワークフローを作成及び登録するための前記ワークフロー作成登録画面を前記表示入力部に表示させる
ことを特徴とする請求項２に記載の表示入力装置。
【請求項４】
前記制御部は、前記基本機能と前記組合せ機能とを組み合わせた前記ワークフローを作成及び登録する旨が選択されたことを認識すると、前記ワークフロー作成登録画面として、前記第１機能に組み合せる前記組合せ機能を選択する操作を受け付けるための画面であり、複数種の前記組合せ機能を選択肢として示した画面であるテンプレート画面を前記表示入力部に表示させ、前記第１機能に組み合せ可能な前記組合せ機能を選択する操作が前記表示入力部に対して行われると、前記ワークフロー作成登録画面として、前記第１機能、及び、前記テンプレート画面で選択された前記組合せ機能である前記第２機能のそれぞれの現在の設定内容を確認及び変更するための内容確認画面を前記表示入力部に表示させる
ことを特徴とする請求項３に記載の表示入力装置。
【請求項５】
前記複数種の機能の１つは、オンラインストレージサービスを利用する機能であり、前記オンラインストレージサービスを利用する機能は、サーバーから前記画像形成装置にデータをダウンロードするダウンロード機能、及び、前記画像形成装置からサーバーにデータをアップロードするアップロード機能を含み、
前記テンプレート画面には、前記選択肢として、前記ダウンロード機能及び前記アップロード機能が少なくとも示される
ことを特徴とする請求項４に記載の表示入力装置。
【請求項６】
単体での使用が可能な基本機能及び前記基本機能に組み合わせての使用が可能な組合せ機能を含む複数種の機能を搭載した画像形成装置に対して設定を行うための表示入力装置であって、
画面を表示し、操作を受け付ける表示入力部と、
データを記憶する記憶部と、
前記表示入力部の表示動作を制御するとともに、前記表示入力部に対して行われた操作を認識する制御部と、を備え、
前記制御部は、前記表示入力部に指示し、ワークフローを作成及び登録するためのワークフロー作成登録画面を表示させて、登録する機能として選択された前記基本機能である第１機能、前記第１機能の設定内容、登録する機能として選択された前記組合せ機能である第２機能、及び、前記第２機能の設定内容、を示すデータを含む前記基本機能と前記組合せ機能とを組み合わせた前記ワークフローを作成及び登録する操作の受け付けを行わせるとともに、登録された前記ワークフローを呼び出すためのワークフロー管理画面を表示させて、登録された前記ワークフローを呼び出す操作の受け付けを行わせ、
前記制御部は、前記ワークフローの登録操作が前記表示入力部に対して行われたことを認識すると、前記ワークフローを前記記憶部に記憶させ、前記ワークフローの呼び出し操作が前記表示入力部に対して行われたことを認識すると、呼び出しを受けた前記ワークフローに含まれるデータで示される設定内容に基づくジョブを前記画像形成装置に実行させるための処理を行い、
前記制御部は、ジョブ実行に際して選択された前記基本機能の設定項目のうち現在の設定値を変更する設定項目の選択を受け付けるための項目選択画面を前記表示入力部に表示させ、選択された前記設定項目の設定値を変更する操作の受け付けを前記表示入力部に行わせるとともに、前記項目選択画面で設定内容を設定した前記基本機能のジョブを前記画像形成装置に実行させるための操作の受け付けを前記表示入力部に行わせ、前記画像形成装置にジョブを実行させるための操作を前記表示入力部が受け付けたことを認識すると、前記項目選択画面で設定された前記基本機能の設定内容を示すデータを前記画像形成装置の主制御部に向けて送信し、
前記項目選択画面内には、前記項目選択画面で設定内容を設定した前記基本機能を前記第１機能とする前記ワークフローの作成及び登録の開始指示を行うためのワークフロー作成キーが配されるとともに、前記ワークフロー管理画面内には、前記ワークフローの新規作成及び登録の開始指示を行うための新規登録キーが配され、
前記制御部は、前記ワークフロー作成キーに対する操作が行われた場合、及び、前記新規登録キーに対する操作が行われた場合、のいずれの場合であっても、以降の前記ワークフローの作成及び登録の操作の受け付け過程において、前記第１機能に組み合わせる前記組合せ機能を選択する操作を受け付けるための画面であり、複数種の前記組合せ機能を選択肢として示した画面である前記ワークフロー作成登録画面としてのテンプレート画面を表示させるための操作の受け付けを前記表示入力部に行わせる
ことを特徴とする表示入力装置。
【請求項７】
前記制御部は、前記テンプレート画面を表示する前記表示入力部に対して、前記第１機能に組み合せ可能な前記組合せ機能を選択する操作が行われると、前記ワークフロー作成登録画面として、前記第１機能、及び、前記テンプレート画面で選択された前記組合せ機能である前記第２機能のそれぞれの現在の設定内容を確認及び変更するための内容確認画面を前記表示入力部に表示させる
ことを特徴とする請求項６に記載の表示入力装置。
【請求項８】
前記複数種の機能の１つは、オンラインストレージサービスを利用する機能であり、前記オンラインストレージサービスを利用する機能は、サーバーから前記画像形成装置にデータをダウンロードするダウンロード機能、及び、前記画像形成装置からサーバーにデータをアップロードするアップロード機能を含み、
前記テンプレート画面には、前記選択肢として、前記ダウンロード機能及び前記アップロード機能が少なくとも示される
ことを特徴とする請求項６に記載の表示入力装置。
【請求項９】
前記制御部は、前記ワークフロー作成キーに対して操作が行われたとき、前記ワークフロー作成登録画面として、前記第１機能として選択した前記基本機能と前記組合せ機能とを組み合わせた前記ワークフローを作成及び登録するか、前記第１機能として選択した前記基本機能単体の前記ワークフローを作成及び登録するか、の選択を受け付けるための組合せ確認画面を前記表示入力部に表示させ、前記基本機能と前記組合せ機能とを組み合わせた前記ワークフローを作成及び登録する旨が選択されたことを認識した場合に、前記テンプレート画面を前記表示入力部に表示させる
ことを特徴とする請求項６に記載の表示入力装置。
【請求項１０】
単体での使用が可能な基本機能及び前記基本機能に組み合わせての使用が可能な組合せ機能を含む複数種の機能を搭載した画像形成装置に対して設定を行うための表示入力装置であって、
画面を表示し、操作を受け付ける表示入力部と、
データを記憶する記憶部と、
前記表示入力部の表示動作を制御するとともに、前記表示入力部に対して行われた操作を認識する制御部と、を備え、
前記制御部は、前記表示入力部に指示し、ワークフローを作成及び登録するためのワークフロー作成登録画面を表示させて、登録する機能として選択された前記基本機能である第１機能、前記第１機能の設定内容、登録する機能として選択された前記組合せ機能である第２機能、及び、前記第２機能の設定内容、を示すデータを含む前記基本機能と前記組合せ機能とを組み合わせた前記ワークフローを作成及び登録する操作の受け付けを行わせるとともに、登録された前記ワークフローを呼び出すためのワークフロー管理画面を表示させて、登録された前記ワークフローを呼び出す操作の受け付けを行わせ、
前記制御部は、前記ワークフローの登録操作が前記表示入力部に対して行われたことを認識すると、前記ワークフローを前記記憶部に記憶させ、前記ワークフローの呼び出し操作が前記表示入力部に対して行われたことを認識すると、呼び出しを受けた前記ワークフローに含まれるデータで示される設定内容に基づくジョブを前記画像形成装置に実行させるための処理を行い、
前記制御部は、ジョブ実行に際して選択された前記基本機能の設定項目のうち現在の設定値を変更する設定項目の選択を受け付けるための項目選択画面を前記表示入力部に表示させ、選択された前記設定項目の設定値を変更する操作の受け付けを前記表示入力部に行わせるとともに、前記項目選択画面で設定内容を設定した前記基本機能のジョブを前記画像形成装置に実行させるための操作の受け付けを前記表示入力部に行わせ、前記画像形成装置にジョブを実行させるための操作を前記表示入力部が受け付けたことを認識すると、前記項目選択画面で設定された前記基本機能の設定内容を示すデータを前記画像形成装置の主制御部に向けて送信し、
前記項目選択画面で設定内容を設定した前記基本機能のジョブを前記画像形成装置に実行させるための操作を前記表示入力部が受け付けた時点であるジョブ受付時点において、前記項目選択画面で設定された前記基本機能の設定内容を示すデータを含む前記ワークフローが登録されていない場合、前記制御部は、前記ジョブ受付時点以降、前記項目選択画面で設定された前記基本機能の前記ジョブ受付時点の設定内容を前記ワークフローとして登録できる旨を報知するためのワークフロー登録情報を前記表示入力部に表示させる
ことを特徴とする表示入力装置。
【請求項１１】
前記項目選択画面で設定された前記基本機能の前記ジョブ受付時点の設定内容を示すデータを含む前記基本機能単体の前記ワークフローが既に登録されているが、前記基本機能と前記組合せ機能との組合せパターンのうち、前記項目選択画面で設定された前記基本機能の前記ジョブ受付時点の設定内容で前記ワークフローとして登録されていない組合せパターンが残っている場合、前記制御部は、前記ジョブ受付時点以降、前記ワークフロー登録情報として、前記基本機能と前記組合せ機能とを組み合せた前記ワークフローを前記ジョブ受付時点の設定内容で登録できる旨を報知するための情報を前記表示入力部に表示させる
ことを特徴とする請求項１０に記載の表示入力装置。
【請求項１２】
前記項目選択画面で設定された前記基本機能の前記ジョブ受付時点の設定内容を示すデータを含む前記基本機能単体の前記ワークフローが登録されていないが、前記基本機能と前記組合せ機能との組合せパターンのうち、全ての組合せパターンが前記項目選択画面で設定された前記基本機能の前記ジョブ受付時点の設定内容で前記ワークフローとして既に登録されている場合、前記制御部は、前記ジョブ受付時点以降、前記ワークフロー登録情報として、前記基本機能単体のワークフローを登録できる旨を報知するための情報を前記表示入力部に表示させる
ことを特徴とする請求項１０に記載の表示入力装置。
【請求項１３】
前記項目選択画面内には、表示画面を前記項目選択画面から前記ワークフロー作成登録画面に切り替えるためのワークフロー作成キーが配されており、
前記制御部は、前記ジョブ受付時点以降、前記項目選択画面内に、前記ワークフロー登録情報を前記表示入力部に表示させる
ことを特徴とする請求項１０に記載の表示入力装置。
【請求項１４】
前記制御部は、前記ワークフロー作成キーに対して操作が行われたとき、前記ワークフロー作成登録画面として、前記第１機能として選択した前記基本機能と前記組合せ機能とを組み合わせた前記ワークフローを作成及び登録するか、前記第１機能として選択した前記基本機能単体の前記ワークフローを作成及び登録するか、の選択を受け付けるための組合せ確認画面を前記表示入力部に表示させ、前記基本機能と前記組合せ機能とを組み合わせた前記ワークフローを作成及び登録する旨が選択されたことを認識すると、前記基本機能と前記組合せ機能とを組み合わせた前記ワークフローを作成及び登録するための前記ワークフロー作成登録画面を前記表示入力部に表示させる
ことを特徴とする請求項１０に記載の表示入力装置。
【請求項１５】
前記制御部は、前記基本機能と前記組合せ機能とを組み合わせた前記ワークフローを作成及び登録する旨が選択されたことを認識すると、前記ワークフロー作成登録画面として、前記第１機能に組み合わせる前記組合せ機能を選択する操作を受け付けるための画面であり、複数種の前記組合せ機能を選択肢として示した画面であるテンプレート画面を前記表示入力部に表示させ、前記第１機能に組み合せ可能な前記組合せ機能を選択する操作が前記表示入力部に対して行われると、前記ワークフロー作成登録画面として、前記第１機能、及び、前記テンプレート画面で選択された前記組合せ機能である前記第２機能のそれぞれの現在の設定内容を確認及び変更するための内容確認画面を前記表示入力部に表示させる
ことを特徴とする請求項１４に記載の表示入力装置。
【請求項１６】
前記複数種の機能の１つは、オンラインストレージサービスを利用する機能であり、前記オンラインストレージサービスを利用する機能は、サーバーから前記画像形成装置にデータをダウンロードするダウンロード機能、及び、前記画像形成装置からサーバーにデータをアップロードするアップロード機能を含み、
前記テンプレート画面には、前記選択肢として、前記ダウンロード機能及び前記アップロード機能が少なくとも示される
ことを特徴とする請求項１５に記載の表示入力装置。
【請求項１７】
使用者により作成、登録され、呼び出すことにより含まれるデータに基づいた設定、ジョブの実行を行うためのワークフローを記憶する記憶部と、
画面を表示する表示部と、前記表示部に対して設けられ、タッチ位置を検知し使用者の操作を受け付けるためのタッチパネル部とを含む表示入力部と、
前記表示入力部の出力に基づき、使用者による設定操作を認識し、前記記憶部に登録された前記ワークフローのなかから、呼び出す前記ワークフローを定める呼び出し操作がなされたことを認識する制御部と、を備え、
前記表示部は、機能、設定項目、設定値の選択を最初から行ってワークフローの新規作成、登録の開始指示を行うための新規登録キーを表示し、
前記制御部は、前記新規登録キーへの操作を認識したことによる新規の前記ワークフローの作成、登録の過程で、前記表示入力部の出力に基づいて複数の予め定められた基本機能のなかから新規作成する前記ワークフローで用いる機能として選択された第１機能と、前記第１機能で選択された前記設定項目及び前記設定値を前記第１機能の設定内容と認識し、更に、予め定められた組合せ機能のなかから前記第１機能に組み合わせる機能を選択するためのテンプレート画面を前記表示入力部に表示させ、前記表示入力部の出力に基づき前記テンプレート画面で選択された前記組合せ機能である第２機能と、前記第２機能の設定内容を認識し、前記第２機能が選択されていないときには前記第１機能の設定内容のデータを、前記第２機能が選択されたときには前記第１機能の設定内容のデータと前記第２機能の設定内容のデータを新規の前記ワークフローとして前記記憶部に新規に登録させる
ことを特徴とする表示入力装置。
【請求項１８】
前記組合せ機能のうちの１つは、クラウドからジョブに用いるデータをダウンロードするダウンロード機能であり、
前記制御部は、新規の前記ワークフローの作成、登録の過程における前記ダウンロード機能の選択と、設定入力されたダウンロード元のパスを認識し、前記ダウンロード元のパスを示すデータを含む前記ワークフローの登録を前記記憶部に行わせ、前記呼び出し操作がなされた前記ワークフローで前記ダウンロード機能が組み合わされているとき、前記呼び出し操作がなされた前記ワークフローで定められたダウンロード元のパスで示される場所からジョブに用いるデータのダウンロードを操作対象としての画像形成装置に行わせるとともに、ダウンロードされたデータに前記呼び出し操作がなされた前記ワークフローの前記第１機能の設定内容を適用したジョブを前記画像形成装置に行わせる
ことを特徴とする請求項１７記載の表示入力装置。
【請求項１９】
前記組合せ機能のうちの１つは、前記第１機能のジョブの実行結果を示す控え画像データをクラウドにアップロードするアップロード機能であり、
前記制御部は、新規の前記ワークフローの作成、登録の過程における前記アップロード機能の選択と、設定入力されたアップロード先のパスを認識し、アップロード先のパスを示すデータを含む前記ワークフローの登録を前記記憶部に行わせ、前記呼び出し操作がなされた前記ワークフローで前記アップロード機能が組み合わされているとき、前記呼び出し操作がなされた前記ワークフローの前記第１機能の設定内容を適用したジョブを操作対象としての画像形成装置に行わせるとともに、アップロード先のパスで示される場所に前記第１機能のジョブの実行結果を示す控え画像データのアップロードを行わせることを特徴とする請求項１７に記載の表示入力装置。
【請求項２０】
前記組合せ機能のうちの１つは、前記第１機能のジョブの実行結果を示す控え画像データを指定の送信先に送信する控え画像送信機能であり、
前記制御部は、新規の前記ワークフローの作成、登録の過程における前記控え画像送信機能の選択と、設定入力された前記控え画像データの宛先を認識し、前記宛先を示すデータを含む前記ワークフローの登録を前記記憶部に行わせ、前記呼び出し操作がなされた前記ワークフローで前記控え画像送信機能が組み合わされているとき、前記呼び出し操作がなされた前記ワークフローの前記第１機能の設定内容を適用したジョブを操作対象としての画像形成装置に行わせるとともに、前記宛先への前記控え画像データの送信を行わせる
ことを特徴とする請求項１７に記載の表示入力装置。
【請求項２１】
前記表示入力部は、設定画面の階層上の最上位の画面として初期画面を表示し、前記初期画面の１つ下の階層の画面として前記ワークフローの呼び出しを行えるワークフロー管理画面を表示し、前記ワークフロー管理画面と前記初期画面の何れか一方、又は、両方に前記新規登録キーを表示する
ことを特徴とする請求項１７に記載の表示入力装置。
【請求項２２】
前記制御部は、新規の前記ワークフローの作成、登録の過程において、前記ワークフローをどのように利用するか設定するための利用形式設定画面を前記表示入力部に表示させ、前記ワークフローの利用形式として、呼び出すと直ちにジョブ実行を実行する形式と、呼び出すと第１機能の各設定項目の設定値設定画面を順番にウィザード形式で表示する形式と、呼び出すと表示入力装置をワークフローで定められた設定値で設定された状態とする形式のなかから選択された形式を認識する
ことを特徴とする請求項１７に記載の表示入力装置。
【請求項２３】
請求項１に記載の表示入力装置を備えた画像形成装置。
【発明の詳細な説明】
【技術分野】
【０００１】
本発明は、表示入力装置及びそれを備えた画像形成装置に関する。
【背景技術】
【０００２】
従来、コピー機能や送信機能（指定されたユーザー端末やＦＡＸ装置に画像データを送信する機能）など複数種の機能を搭載した画像形成装置が知られている。このような画像形成装置には、画像形成装置に対して各種設定を行うための表示入力装置が備えられる（例えば、特許文献１参照）。【０００３】
例えば、表示入力装置は、画像形成装置に搭載された複数種の機能のうち使用する機能の選択を受け付けるための画面を表示し、使用する機能の選択を受け付ける。機能が選択されると、表示入力装置は、選択された機能において設定値の変更が可能な複数種の設定項目を選択肢として示した画面を表示し、設定値を変更する設定項目の選択を受け付ける。設定項目が選択されると、表示入力装置は、選択された設定項目の設定値を変更するための画面を表示し、選択された設定項目の設定値の変更を受け付ける。【０００４】
例えば、コピー機能では、設定値の変更が可能な設定項目として、集約印刷や印刷解像度などがある。また、例えば、集約印刷では、デフォルトの設定値が「オフ（集約印刷なし）」であり、そのデフォルトの設定値を「２ｉｎ１」や「４ｉｎ１」に設定変更することができる。【０００５】
このように、画像形成装置に備えられる表示入力装置は、使用する機能の選択、設定値を変更する設定項目の選択、及び、設定値の変更などの受け付けを行う。したがって、画像形成装置の使用者は、所望の機能のジョブを所望の設定内容で実行させたい場合、表示入力装置に対して各種設定を行うことになる。
【先行技術文献】
【特許文献】
【０００６】
【特許文献１】特開２０１４−２７４５４号公報
【発明の概要】
【発明が解決しようとする課題】
【０００７】
従来の表示入力装置には、複数種の機能のうち選択した１つの機能の設定内容を登録できるものがある。このような表示入力装置では、登録された設定内容を呼び出すと、使用する機能の選択やその機能の設定内容の設定を行わなくても、呼び出した設定内容でジョブを実行させることができる。これにより、使用者からすると、登録した設定内容を呼び出すだけで、所望の機能のジョブが所望の設定内容で実行されるので、利便性が良い。【０００８】
しかし、使用者によっては、複数種の機能のうち２つ以上の機能の各ジョブをまとめて実行したい場合がある。例えば、原稿のコピーを行いつつ、その原稿の画像データをユーザー端末やＦＡＸ装置に送信したい場合などである。この場合、例えば、コピー機能の設定内容を登録していたとしても、その設定内容の呼び出しにより実行されたコピージョブの終了後に、コピー元の原稿を画像形成装置にセットし直し、使用する機能として送信機能を選択し、設定値を変更する設定項目を選択し、選択した設定項目の設定値（送信対象の画像データやパス）を設定する、という操作を行わなければならない。あるいは、送信機能の設定内容を別途登録していたとしても、コピージョブの終了後に、コピー元の原稿を画像形成装置にセットし直し、送信機能の設定内容を呼び出す操作を行わなければならない。【０００９】
本発明は、上記の課題を解決するためになされたものであり、複数種の機能を搭載する画像形成装置に対して設定を行うための表示入力装置において、２つ以上の機能の各ジョブをまとめて実行したい使用者の利便性を向上させることが可能な表示入力装置及びそれを備えた画像形成装置を提供することを目的とする。
【課題を解決するための手段】
【００１０】
上記の目的を達成するために、本発明の表示入力装置は、単体での使用が可能な基本機能及び基本機能に組み合わせての使用が可能な組合せ機能を含む複数種の機能を搭載した画像形成装置に対して設定を行うための表示入力装置であって、画面を表示し、操作を受け付ける表示入力部と、データを記憶する記憶部と、表示入力部の表示動作を制御するとともに、表示入力部に対して行われた操作を認識する制御部と、を備える。そして、制御部は、表示入力部に指示し、ワークフローを作成及び登録するためのワークフロー作成登録画面を表示させて、登録する機能として選択された基本機能である第１機能、第１機能の設定内容、登録する機能として選択された組合せ機能である第２機能、及び、第２機能の設定内容、を示すデータを含む基本機能と組合せ機能とを組み合わせたワークフローを作成及び登録する操作の受け付けを行わせるとともに、登録されたワークフローを呼び出すためのワークフロー管理画面を表示させて、登録されたワークフローを呼び出す操作の受け付けを行わせる。また、制御部は、ワークフローの登録操作が表示入力部に対して行われたことを認識すると、ワークフローを記憶部に記憶させ、ワークフローの呼び出し操作が表示入力部に対して行われたことを認識すると、呼び出しを受けたワークフローに含まれるデータで示される設定内容に基づくジョブを画像形成装置に実行させるための処理を行う。
また、本発明の表示入力装置は、単体での使用が可能な基本機能及び基本機能に組み合わせての使用が可能な組合せ機能を含む複数種の機能を搭載した画像形成装置に対して設定を行うための表示入力装置であって、画面を表示し、操作を受け付ける表示入力部と、データを記憶する記憶部と、表示入力部の表示動作を制御するとともに、表示入力部に対して行われた操作を認識する制御部と、を備える。そして、制御部は、表示入力部に指示し、ワークフローを作成及び登録するためのワークフロー作成登録画面を表示させて、登録する機能として選択された基本機能である第１機能、第１機能の設定内容、登録する機能として選択された組合せ機能である第２機能、及び、第２機能の設定内容、を示すデータを含む基本機能と組合せ機能とを組み合わせたワークフローを作成及び登録する操作の受け付けを行わせるとともに、登録されたワークフローを呼び出すためのワークフロー管理画面を表示させて、登録されたワークフローを呼び出す操作の受け付けを行わせる。また、制御部は、ワークフローの登録操作が表示入力部に対して行われたことを認識すると、ワークフローを記憶部に記憶させ、ワークフローの呼び出し操作が表示入力部に対して行われたことを認識すると、呼び出しを受けたワークフローに含まれるデータで示される設定内容に基づくジョブを画像形成装置に実行させるための処理を行う。
また、本発明の表示入力装置は、単体での使用が可能な基本機能及び基本機能に組み合わせての使用が可能な組合せ機能を含む複数種の機能を搭載した画像形成装置に対して設定を行うための表示入力装置であって、画面を表示し、操作を受け付ける表示入力部と、データを記憶する記憶部と、表示入力部の表示動作を制御するとともに、表示入力部に対して行われた操作を認識する制御部と、を備える。そして、制御部は、表示入力部に指示し、ワークフローを作成及び登録するためのワークフロー作成登録画面を表示させて、登録する機能として選択された基本機能である第１機能、第１機能の設定内容、登録する機能として選択された組合せ機能である第２機能、及び、第２機能の設定内容、を示すデータを含む基本機能と組合せ機能とを組み合わせたワークフローを作成及び登録する操作の受け付けを行わせるとともに、登録されたワークフローを呼び出すためのワークフロー管理画面を表示させて、登録されたワークフローを呼び出す操作の受け付けを行わせる。また、制御部は、ワークフローの登録操作が表示入力部に対して行われたことを認識すると、ワークフローを記憶部に記憶させ、ワークフローの呼び出し操作が表示入力部に対して行われたことを認識すると、呼び出しを受けたワークフローに含まれるデータで示される設定内容に基づくジョブを画像形成装置に実行させるための処理を行う。
また、本発明の表示入力装置は、使用者により作成、登録され、呼び出すことにより含まれるデータに基づいた設定、ジョブの実行を行うためのワークフローを記憶する記憶部と、画面を表示する表示部と、前記表示部に対して設けられ、タッチ位置を検知し使用者の操作を受け付けるためのタッチパネル部とを含む表示入力部と、前記表示入力部の出力に基づき、使用者による設定操作を認識し、前記記憶部に登録された前記ワークフローのなかから、呼び出す前記ワークフローを定める呼び出し操作がなされたことを認識する制御部と、を備え、前記表示部は、機能、設定項目、設定値の選択を最初から行ってワークフローの新規作成、登録の開始指示を行うための新規登録キーを表示し、前記制御部は、前記新規登録キーへの操作を認識したことによる新規の前記ワークフローの作成、登録の過程で、前記表示入力部の出力に基づいて複数の予め定められた基本機能のなかから新規作成する前記ワークフローで用いる機能として選択された第１機能と、前記第１機能で選択された前記設定項目及び前記設定値を前記第１機能の設定内容と認識し、更に、予め定められた組合せ機能のなかから前記第１機能に組み合わせる機能を選択するためのテンプレート画面を前記表示入力部に表示させ、前記表示入力部の出力に基づき前記テンプレート画面で選択された前記組合せ機能である第２機能と、前記第２機能の設定内容を認識し、前記第２機能が選択されていないときには前記第１機能の設定内容のデータを、前記第２機能が選択されたときには前記第１機能の設定内容のデータと前記第２機能の設定内容のデータを新規の前記ワークフローとして前記記憶部に新規に登録させることとした。
また、本発明の表示入力装置は、使用者により作成、登録され、呼び出すことにより含まれるデータに基づいた設定、ジョブの実行を行うためのワークフローを記憶する記憶部と、画面を表示する表示部と、前記表示部に対して設けられ、タッチ位置を検知し使用者の操作を受け付けるタッチパネル部とを含む表示入力部と、前記表示入力部の出力に基づき、使用者による設定の操作を認識し、前記記憶部に登録された前記ワークフローのなかから呼び出す前記ワークフローを定める呼び出し操作がなされたことを認識する制御部と、を備える。前記記憶部は、予め定められた基本機能のなかから用いる機能として選択された第１機能について前記第１機能で選択された設定項目及び設定値を含む前記第１機能の設定内容のデータを前記ワークフローのデータとして記憶し、更に、前記第１機能と予め定められた組合せ機能を組み合わせることが定められた前記ワークフローでは、前記第１機能の設定内容のデータとともに、組み合わせられた前記組合せ機能である第２機能の設定内容のデータを前記ワークフローのデータとして記憶し、前記制御部は、前記表示入力部の出力に基づき、登録された前記ワークフローのなかから内容確認を行う前記ワークフローを選ぶ内容確認指示を認識すると、確認編集画面を前記表示入力部に表示させ、前記確認編集画面内に前記内容確認指示がなされた前記ワークフローの前記第１機能の設定内容と、前記組合せ機能が組み合わされていれば、前記第２機能の設定内容を前記表示入力部に表示させる。
【図面の簡単な説明】
【００１１】
【図１】第一実施形態を示し、表示入力装置としての操作パネルの一例を示す図である。
【図２】一実施形態を示し、表示入力装置としての携帯情報端末の一例を示す図である。
【図３】一実施形態を示し、複合機の一例を示す図である。
【図４】一実施形態を示し、複合機の一例を示す図である。
【図５】一実施形態を示し、表示入力装置での初期画面の一例を示す図である。
【図６】一実施形態を示し、基本機能のうち、用いる機能を選択するためのホーム画面の一例を示す図である。
【図７】一実施形態を示し、選択された基本機能の設定項目の項目選択画面の一例を示す図である。
【図８】一実施形態を示し、ワークフロー管理画面の一例を示す図である。
【図９】一実施形態を示し、基本機能単体のワークフローを作成するか、複数の機能を組合せたワークフローを作成するかを選択するための組合せ確認画面の一例を示す図である。
【図１０】一実施形態を示し、ワークフローを登録するときに表示されるテンプレート画面の一例を示す図である。
【図１１】一実施形態を示し、クラウドを利用する機能を用いるときのクラウド設定画面の一例を示す図である。
【図１２】一実施形態を示し、内容確認画面の一例を示す図である。
【図１３】一実施形態を示し、内容確認画面の一例を示す図である。
【図１４】一実施形態を示し、ワークフローの利用形式設定画面の一例を示す図である。
【図１５】一実施形態を示し、ワークフローの名称設定画面の一例を示す図である。
【図１６】一実施形態を示し、ワークフローで用いる基本機能を選択するための機能選択メイン画面の一例を示す図である。
【図１７】一実施形態を示し、第１機能の設定項目を選択及び設定値の設定するための項目選択画面の一例を示す図である。
【図１８】一実施形態を示し、ジョブの実行中に表示部に表示されるステータス画面の一例を示す図である。
【図１９】一実施形態を示し、ジョブ開始時点の基本機能の設定内容を含むワークフローが登録されていない場合の表示の一例を示す図である。
【図２０】一実施形態を示し、ジョブ開始時点の基本機能の設定内容を含むワークフローが登録されていない場合の表示の一例を示す図である。
【図２１】一実施形態を示し、ジョブ開始時点の基本機能の設定内容を含むワークフローが登録されていない場合の表示の一例を示す図である。
【図２２】一実施形態を示し、ジョブ開始時点の基本機能の設定内容を含むワークフローが登録されていない場合の表示の一例を示す図である。
【図２３】一実施形態を示し、機能を組み替える編集の一例を示す図である。
【図２４】一実施形態を示し、機能を削除する編集の一例を示す図である。
【図２５】一実施形態を示し、機能を追加する編集の一例を示す図である。
【図２６】一実施形態を示し、設定値を変更する編集の一例を示す図である。
【図２７】一実施形態を示し、設定値を削除する編集の一例を示す図である。
【発明を実施するための形態】
【００１２】
＜第一実施形態＞
図１〜図２７を用いて、本発明の表示入力装置１０の一実施形態である第一実施形態にを説明する。本実施形態の表示入力装置１０は、ワークフローが利用可能である。また、表示入力装置１０は、画像形成装置に対して設定や入力を行うための装置であり、画像形成装置が操作対象であって、設定された内容で画像形成装置にジョブを実行させる装置である。以下の説明では、プリンター機能、コピー機能、ネットワーク送信やファクシミリ送信のような送信機能、およびボックス機能などの複数種の基本機能のなかから、実行する基本機能を選択可能な複合機（画像形成装置）の表示入力装置１０を例に挙げて説明する。
【００１３】
ここで、本実施形態では、表示入力装置１０は、ワークフローをデータとして記憶する。ワークフローには、第１機能の名称、第１機能の設定項目、選択した設定項目の設定値（デフォルトの設定値と異なる設定値）、組合せ機能の選択の有無、選択された第２機能、第２機能の設定内容（ネットワークストレージのようなクラウドに関するアップロード先のパスや、ダウンロード元のパス、クラウドのサービスの認証を受けるための情報、控え画像送信機能での送信先アドレス）、選択された利用形式、ワークフローの名称、ワークフローの作成日時といったデータ（情報）を含ませることができる。そして、ワークフローを呼び出すことにより、ワークフローに含まれる内容で設定やジョブを行うことができる。
【００１４】
又、本実施形態における「基本機能」とは、予め定められたものであり、プリンター機能、コピー機能、送信機能、ボックス機能のように、機能の大分類であって、その機能単独で複合機で実行できる機能である。「第１機能」とは、「基本機能」のうちワークフローで用いるとして「使用者」に選択された機能である。「組合せ機能」とは、予め定められた機能であって、基本機能に組み合わせて用い得る機能である（「組合せ機能」の詳細は後述）。「第２機能」とは、「組合せ機能」のうちワークフローで用いるとして「使用者」に選択された機能である。「設定項目」は基本機能、組合せ機能、第１機能、第２機能などで設定可能な項目（小機能）である（例えば、コピー機能でのズームや濃度や両面印刷や集約印刷等）。「設定値」は、選択された「設定項目」で使用者が選択した値である（例えば、ズームの設定項目での倍率）。
【００１５】
（表示入力装置１０の概要）
図１、図２を用いて、実施形態に係る表示入力装置１０の概要を説明する。図１は、実施形態に係る表示入力装置１０としての操作パネル２００の一例を示す図である。図２は、実施形態に係る表示入力装置１０としての携帯情報端末３００の一例を示す図である。
【００１６】
表示入力装置１０は、複合機に行わせるジョブに関する設定入力やジョブの実行指示を受け付ける。表示入力装置１０としては、複合機に固定的に備え付けられる操作パネル２００（図１参照）と、複合機と分離され携帯可能な携帯情報端末３００とがある。
【００１７】
まず、図１に基づき、表示入力装置１０としての操作パネル２００を説明する。操作パネル２００は、表示入力装置１０の制御部（操作制御部１１）としてのパネル制御部２０１、表示入力装置１０の表示部１２（表示パネル）としてのパネル表示部２０２（表示入力部に相当）、表示入力装置１０のタッチパネル部１３としての本体タッチパネル部２０３（表示入力部に相当）、表示入力装置１０の通信部１４としてのパネル通信部２０４を含む。パネル制御部２０１は、パネルＣＰＵ２１１および表示入力装置１０の記憶部１５としてのパネル記憶部２１２を含む。パネルＣＰＵ２１１は、操作パネル２００に含まれる部分の動作を制御し、また、操作パネル２００になされた設定、選択、操作、指示の内容を認識する。パネル記憶部２１２は、パネル表示部２０２に表示する画面、画像に関するデータや、操作パネル２００の制御に要する制御用データやプログラムを記憶する。また、本実施形態に関し、パネル記憶部２１２は、ワークフローＷＦを記憶する。
【００１８】
パネル制御部２０１は、パネル表示部２０２に複合機の設定に関する画面、画像を表示させる。そして、パネル制御部２０１は、複合機の設定を行うためのキー（ソフトキー）を表示させる。パネル表示部２０２に対して本体タッチパネル部２０３が設けられる。本体タッチパネル部２０３は、使用者のタッチ位置に応じた信号を出力する。パネル制御部２０１は、本体タッチパネル部２０３の出力に基づき、使用者のタッチ位置を認識する。そして、パネル制御部２０１は、タッチ位置と表示位置とが重なるキーに対する操作がなされたと認識する。言い換えると、パネル制御部２０１は、本体タッチパネル部２０３の出力に基づき、使用者の設定、選択、操作、指示の内容を認識する。そして、パネル制御部２０１は、操作がなされたキーに応じて、パネル表示部２０２に画面を切り替えさせる。
【００１９】
尚、操作パネル２００には、複数のハードキーを設けることもできる。パネル制御部２０１は、操作パネル２００に設けられた複数のハードキーに対する操作を認識する（受け付ける）。例えば、ハードキーとしては、ジョブの実行開始を指示するためのスタートキー２０５や、ワークフローＷＦ（詳細は後述）の実行や呼び出しを指示するためのエンターキー２０６などを設けることができる。尚、ハードキーに相当するキーをソフトキーで実現してもよい。
【００２０】
このような表示されたキー（ソフトキー）やハードキーへの操作の認識により、パネル制御部２０１は、複合機に行わせるジョブに関する設定入力の内容を認識する。また、パネル制御部２０１は、認識したジョブに関する設定入力の内容をパネル通信部２０４から主制御部１１０に向けて送信（通知）する。パネル通信部２０４は、主制御部１１０と通信を行うためのデータ通信用回路である。
【００２１】
次に、図２に基づき、表示入力装置１０としての携帯情報端末３００を説明する。具体的に、携帯情報端末３００は、スマートフォン、タブレットのような携帯型のコンピューター４００である。この携帯情報端末３００は、表示入力装置１０の制御部（操作制御部１１）としての端末制御部３０１、表示入力装置１０の記憶部１５としての端末記憶部３０２、表示入力装置１０の表示部１２（表示パネル）としての端末表示部３０３（表示入力部に相当）、表示入力装置１０のタッチパネル部１３としての端末タッチパネル部３０４（表示入力部に相当）、表示入力装置１０の通信部１４としての端末通信部３０５を含む。
【００２２】
端末制御部３０１は、ＳｏＣ回路のような制御や表示に要する処理を行う回路を含む。端末制御部３０１は、内部バスを介し、端末記憶部３０２、端末通信部３０５と接続され、データを取得し、取得したデータを用いて種々の演算処理を行い、携帯情報端末３００を制御する。端末記憶部３０２は、携帯情報端末３００の制御に要する制御用データやプログラムやアプリケーションＡＰを記憶する。また、端末記憶部３０２は、複合機１００の設定、指示、操作を行うためのアプリケーションＡＰを記憶する。また、本実施形態に関し、端末記憶部３０２は、ワークフローＷＦを記憶する。格納されたアプリケーションＡＰやデータは、内部バスを介して端末制御部３０１、端末通信部３０５に読み出される。
【００２３】
端末制御部３０１は、アプリケーションＡＰを起動するためのアイコンや、起動したアプリケーションＡＰの画面、画像を端末表示部３０３に表示させる。複合機１００の設定、指示、操作を行うためのアプリケーションＡＰを実行することにより、複合機１００に備え付けられる操作パネル２００と同様の複合機１００の設定に関する画面、画像（例えば、複合機１００の設定を行うためのソフトキー）を端末表示部３０３に表示させることができる。なお、複合機１００の設定、指示、操作を行うためのアプリケーションＡＰは、ネットワーク上のサーバーから端末通信部３０５を介してダウンロードするなどにより、端末記憶部３０２に記憶させることができる。
【００２４】
また、端末表示部３０３に対し、端末タッチパネル部３０４が設けられる。端末タッチパネル部３０４は、使用者のタッチ位置に応じた信号を出力する。端末制御部３０１は、端末タッチパネル部３０４の出力に基づき、端末表示部３０３内での使用者のタッチ位置や操作の種類を認識する。端末制御部３０１は、タッチ位置と表示位置が重なっているアイコン、キーに対する操作がなされたと認識する。そして、パネル制御部２０１は、操作がなされたアイコン、キーに応じて、表示部１２に画面を切り替えさせる。
【００２５】
このような、ソフトキーへの操作を受け付けた端末タッチパネル部３０４の出力に基づき、端末制御部３０１は、使用者によるジョブやワークフローＷＦのような複合機１００に関する設定入力を認識する。言い換えると、アプリケーションＡＰ、端末表示部３０３、端末タッチパネル部３０４によって、複合機１００に関し、操作パネル２００と同等の設定や動作指示を行うことができる。また、端末制御部３０１は、端末タッチパネル部３０４に対して行われた設定入力（操作）の認識結果に基づき、なされた設定、操作の内容を複合機１００の主制御部１１０に向けて、端末通信部３０５により送信（通知）させる。
【００２６】
端末通信部３０５は、複合機１００との通信（設定内容の主制御部１１０への通知）や、ネットワークとの通信を行う。端末通信部３０５は、無線通信（例えば、ＷｉＦｉやＢｌｕｅｔｏｏｔｈ(登録商標)）によって、複合機１００と通信を行う。また、端末通信部３０５は、利用可能な無線通信システムを用いてインターネット(登録商標)のようなネットワークに接続し、データ通信を行うこともできる。そして、端末制御部３０１は、端末通信部３０５を介し、複合機１００内の本体側通信部１２０に向けて、携帯情報端末３００でなされた複合機１００に実行させるジョブの設定内容を送信する。
【００２７】
なお、携帯情報端末３００は、複合機１００に付属のものとしてもよい。この場合、操作パネル２００を省略してもよいし、複合機１００は、操作パネル２００と携帯情報端末３００の両方を兼ね備えてもよい。
【００２８】
このように、複合機１００に備え付けられる操作パネル２００や、スマートフォン、タブレットのような携帯情報端末３００を、複合機１００に実行させるジョブを設定するための表示入力装置１０として用いることができる。
【００２９】
（複合機１００の全体構成）
次に、図３を用いて、実施形態に係る複合機１００について説明する。図３は、実施形態に係る複合機１００の一例を示す図である。
【００３０】
図３に示すように、複合機１００は、読取部１を含む。読取部１は、原稿搬送ユニット７と画像読取ユニット８を含む。原稿搬送ユニット７は、搬送読取用コンタクトガラス１ａ上に原稿Ｄを搬送する。また、画像読取ユニット８は、搬送読取用コンタクトガラス１ａ上を通過する原稿Ｄを読み取り、原稿Ｄの画像データを生成する（搬送読取を行う）。あるいは、画像読取ユニット８は、載置読取用コンタクトガラス１ｂ上に載置された原稿Ｄを読み取り、原稿Ｄの画像データを生成する（載置読取を行う）。
【００３１】
また、複合機１００は、印刷部２を備える。印刷部２は、給紙部３、搬送部４、画像形成部５および定着部６を含む。そして、主制御部１１０は、表示入力装置１０からのコピージョブの実行指示があったことを認識すると、画像読取ユニット８による読取部１の原稿読み取りにより得られた画像データに基づく用紙Ｐへの印刷を印刷部２に行わせる（コピー機能）。あるいは、印刷部２は、本体側通信部１２０で受信された印刷用データに基づく画像を用紙Ｐに印刷する（プリンター機能）。
【００３２】
給紙部３は、用紙Ｐを搬送部４に供給する。搬送部４は、用紙Ｐを搬送し、印刷済みの用紙Ｐを機外に排出する。画像形成部５は、画像データに基づきトナー像を形成し、そのトナー像を用紙Ｐに転写する。定着部６は、用紙Ｐに転写されたトナー像を加熱および加圧して定着させる。
【００３３】
（複合機１００のハードウェア構成）
次に、図４を用いて、実施形態に係る複合機１００について説明する。図４は、実施形態に係る複合機１００の一例を示す図である。
【００３４】
図４に示すように、複合機１００は、主制御部１１０を備える。主制御部１１０は、ＣＰＵ１１１、画像処理部１１２および本体側記憶部１１３を含む。画像処理部１１２は、画像データに対して各種画像処理を施す。本体側記憶部１１３は、複合機１００の制御用のプログラムおよびデータを記憶する。そして、主制御部１１０は、制御用のプログラムおよびデータに基づき、画像読取ユニット８の読取動作を制御するとともに、印刷部２の印刷動作を制御する。
【００３５】
また、本体側記憶部１１３は、ボックスと称され、原稿読み取り結果に基づく画像データの保存領域を有する。そして、その本体側記憶部１１３の保存領域には、たとえば、画像読取ユニット８による原稿Ｄの読み取りによって得られた画像データや、本体側通信部１２０で受信された印刷用データに含まれる画像データなどが保存することができ、いつでも保存された画像データを用いて印刷や送信を行うことができる（ボックス機能）。
【００３６】
さらに、上述したように、主制御部１１０は、パネル制御部２０１と通信可能に接続される。また、複合機１００は、本体側通信部１２０を備える。本体側通信部１２０は、公衆通信網やＬＡＮやインターネット(登録商標)のような通信網を介し、コンピューター４００（パーソナルコンピューター）、ＦＡＸ装置５００、サーバー６００のような外部の機器と通信を行う。そして、主制御部１１０は、外部機器との間で画像データなど各種データの送受信を本体側通信部１２０に行わせる。
【００３７】
図４に示すように、主制御部１１０は、本体側通信部１２０がコンピューター４００で作成された文書や図面などに基づく印刷用データ（画像データや印刷設定データ）を受信したとき、印刷用データに基づき、印刷部２に印刷を行わせる（プリンター機能）。また、主制御部１１０は、表示入力装置１０からの送信ジョブの実行指示を受けると、読取部１に原稿読み取りと画像データ生成を行わせ、宛先として指定されたコンピューター４００やＦＡＸ装置５００に向けて画像データを本体側通信部１２０に送信させる（送信機能、ＦＡＸ機能）。
【００３８】
（基本機能、設定項目、設定値の設定）
次に、図５〜図８を用いて、実施形態に係る表示入力装置１０での設定を説明する。図５は、実施形態に係る表示入力装置１０での初期画面の一例を示す図である。図６は、基本機能のうち、用いる機能を選択するためのホーム画面の一例を示す図である。図７は、選択された基本機能の設定項目の項目選択画面の一例を示す図である。図８は、実施形態に係るワークフロー管理画面の一例を示す図である。
【００３９】
尚、以下の説明は、表示入力装置１０として、操作パネル２００、携帯情報端末３００の何れを用いる場合も当てはまる。そこで、以下の説明では、便宜上、パネル制御部２０１、端末制御部３０１を意味する語として「操作制御部１１」の語を用い、パネル表示部２０２、端末表示部３０３を意味する語として「表示部１２」の語を用い、本体タッチパネル部２０３、端末タッチパネル部３０４を意味する語として「タッチパネル部１３」の語を用い、パネル通信部２０４、端末通信部３０５を意味する語として「通信部１４」の語を用い、パネル記憶部２１２、端末記憶部３０２を意味する語として「記憶部１５」の語を用いる。尚、表示部１２とタッチパネル部１３が「表示入力部」に相当する。
【００４０】
複合機１００の主電源を投入したとき（主電源スイッチをＯＮしたとき）の起動時や、省電力モードから通常モードに復帰したときや、項目選択画面Ｓ３でリセットキーＫ３４の表示位置がタッチされたときなどに、表示入力装置１０の操作制御部１１は、図５に示す初期画面Ｓ１を表示部１２に表示させる。
【００４１】
初期画面Ｓ１は、複合機１００に関する設定画面の階層上、最上位の画面である。初期画面Ｓ１には、メインメニューキーＫ１１とワークフロー利用キーＫ１２が設けられる。トップの画面にワークフロー利用キーを配することで、ワークフロー機能が頻繁に利用されるようにして、表示入力装置１０や複合機１００の使い勝手をよくする。尚、ワークフロー利用キーＫ１２を、後述のホーム画面Ｓ２内に表示するようにしてもよい。
【００４２】
タッチパネル部１３の出力に基づきメインメニューキーＫ１１の表示位置へのタッチを認識すると、操作制御部１１は、図６に示すホーム画面Ｓ２を表示部１２に表示させる。ホーム画面Ｓ２は、複合機１００で利用可能な基本機能のうち、用いる機能を選択するための画面である。ホーム画面Ｓ２には、複数種の基本機能にそれぞれ対応する複数の基本機能キーＫ２１が配される。操作制御部１１は基本機能キーＫ２１の表示位置へのタッチを、基本機能（用いる機能）を選択する入力と認識する。
【００４３】
そして、操作制御部１１は、操作された基本機能キーＫ２１に対応する基本機能（第１機能）の項目選択画面Ｓ３（第１機能で利用可能な設定項目を選択するための画面）を表示部１２に表示させる。具体的に、コピー機能の選択がなされると、操作制御部１１は、図７に示すような、コピー機能の設定項目を選択するための項目選択画面Ｓ３を表示部１２に表示させる。また、送信機能の選択がなされたとき、操作制御部１１は、送信機能の設定項目を選択するための項目選択画面Ｓ３（不図示）を表示部１２に表示させる。また、ＦＡＸ送信機能の選択がなされたとき、操作制御部１１は、ＦＡＸ送信機能の設定項目を選択するための項目選択画面Ｓ３（不図示）を表示部１２に表示させる。また、ユーザーボックスキーの表示位置へのタッチなどボックス機能の選択がなされたとき、操作制御部１１は、ボックス機能の設定項目を選択するための項目選択画面Ｓ３（不図示）を表示部１２に表示させる。
【００４４】
このように、複合機１００は、基本機能として、コピー機能（読取部の読み取りにより得られた画像データに基づき複製物を印刷する機能）、送信機能（ネットワークや指定されたパスに原稿読み取りに基づく画像データを送信する機能）、ＦＡＸ送信機能（指定されたＦＡＸ装置５００に原稿読み取りに基づく画像データを送信する機能）、ボックス機能（本体記憶部１５内の使用者に割り当てられたボックス記憶領域への画像データの記憶や、領域に記憶された画像データを用いた印刷や送信）を備える。そして、表示入力装置１０は、基本機能の選択と、選択した基本機能に関する設定、入力、操作を受け付ける。
【００４５】
尚、複合機１００の基本機能は、上記の４つに限られず、また、２つでもよいし、３つでもよいし、５つ以上でもよい。
【００４６】
次に、図７を用い、コピーの基本機能を選択したときに表示されるコピー機能の項目選択画面Ｓ３を例に挙げて、設定項目の選択と設定値の設定を説明する。尚、項目選択画面Ｓ３の左上隅に配されたホーム画面キーＨＫの表示位置をタッチすることにより、ホーム画面Ｓ２に戻り、基本機能の選択をやり直すことができる。操作制御部１１は、タッチパネル部１３の出力に基づきホーム画面キーＨＫに対する操作がなされたことを認識すると、表示部１２に項目選択画面Ｓ３に変えてホーム画面Ｓ２を表示させる。
【００４７】
まず、本実施形態の複合機１００では、コピー機能についての設定項目（集約印刷、印刷解像度、印刷色、用紙サイズ、部数、ズーム他多数）は多数に及ぶ。そのため、コピー機能に含まれる設定項目を選択するためのキーを全て、１画面内に表示することができない。そこで、コピー機能の各設定項目を分けるためのグループが設けられる。どの設定項目がどのグループに属するかは、予め定められる。設定項目が属するグループは、１つだけでもよいし、２以上でもよい。
【００４８】
項目選択画面Ｓ３のうち、左側部分に設定項目の分類としてのグループを選択するためのグループ選択領域が設けられる。グループとしては、５つ（簡易設定、原稿／用紙／仕上げ、色／画質、レイアウト／編集、拡張設定）が設けられる。例えば、印刷の色設定（フルカラー印刷かモノクロ印刷か）のような色や画質に関する設定項目は、色／画質のグループに属すると定められる。また、集約印刷や両面印刷のようなページの配置や画像データの加工、編集に関する設定項目は、レイアウト／編集のグループに属すると定められる。また、経験上、使用者が頻繁に用いる設定項目として抽出された設定項目は、簡易設定のグループに属すると定められる。このように、１つの基本機能で設定可能な各設定項目は、１又は複数のグループに予め振り分けられる。尚、他のグループの詳細な説明は、割愛する。
【００４９】
使用者は、グループ選択領域に含まれるグループ選択キーＫ３２の中から、所望の設定項目が属するグループに対応するグループ選択キーＫ３２の表示位置をタッチする。これにより、操作制御部１１は、タッチされたグループ選択キーＫ３２に対応する設定項目を選択するためのキーを設定項目表示領域ＳＡに並べて表示させる。図７に示すように、項目選択画面Ｓ３には、グループ選択領域の右側に設定項目表示領域ＳＡが設けられる。図７の例は、簡易設定のグループが選択されたため、操作制御部１１が、簡易設定のグループに属すると定義された設定項目（集約印刷、ズーム、両面印刷など）の設定項目キーＫ３１を設定項目表示領域ＳＡに表示させている状態を示している。
【００５０】
設定項目表示領域ＳＡ内には、複数の設定項目キーＫ３１が配される。設定項目キーＫ３１は、アイコンと設定項目名の文字の組合せからなる。そして、図７に示すように、操作制御部１１は、各設定項目キーＫ３１の下側に、設定項目の名称を表示部１２に表示させる。また、操作制御部１１は、設定値がデフォルトから変更された設定項目については変更後の、設定値がデフォルトから変更されていない設定項目についてはデフォルトの設定値を各設定項目キーＫ３１の上側に表示させる。
【００５１】
図７の例では、集約印刷の設定項目に関しては、アイコン（キーとしての画像）の下側に「Ｃｏｍｂｉｎｅ」の文字が付され、上側に「２ｉｎ１」の文字が付されている（デフォルトの設定値は「集約印刷なし」）。また、原稿混載の設定項目キーＫ３１に対しては、アイコンの下側に「Ｍｉｘｅｄ  Ｓｉｚｅｄ」の文字が付され、上側には「ＯＦＦ」の文字が付されている（デフォルトの設定値は「ＯＦＦ」）。尚、印刷部数の設定値は、部数表示欄内に表示され、図７の例では、５部が設定されている（デフォルトの設定値は「１部」）。
【００５２】
タッチパネル部１３の出力に基づき設定項目キーＫ３１の表示位置がタッチされたことを認識すると、操作制御部１１は、選択された設定項目の設定値の選択（設定）を行うための設定値設定画面（不図示）を表示部１２に表示させる。例えば、集約印刷の設定項目キーＫ３１への操作がなされると、操作制御部１１は、集約印刷の設定値設定画面を表示させる。集約印刷以外の設定項目についても、それぞれ、設定値設定画面が用意される。
【００５３】
尚、表示部１２に表示させる画面やキー（例えば、初期画面Ｓ１、ホーム画面Ｓ２、各種項目選択画面Ｓ３、各設定項目キーＫ３１や、各設定値設定画面を表示するための画像データやテキストデータ）を表示するためのデータは、表示入力装置１０内の記憶部１５に設定表示用データＤ３として記憶される。このように、操作制御部１１は、操作された設定項目キーＫ３１に対応する設定値設定画面を表示部１２に表示させる。
【００５４】
ここで、全ての設定項目について、デフォルトの設定値が予め定められる。例えば、両面印刷の設定項目（図７において「Ｄｕｐｌｅｘ」の文字が付されたキーが対応）では、「両面印刷をしない（ＯＦＦ）」がデフォルトの設定値とされる。そして、各設定項目のデフォルトの設定値の束は、デフォルト設定値データＤ１として、記憶部１５に記憶される。各設定項目のデフォルトの設定値を示すデータ（デフォルト設定値データＤ１）は、表示入力装置１０内の記憶部１５に記憶される。
【００５５】
そして、操作制御部１１は、項目選択画面Ｓ３の上部右側に配されたスタートキーＫ３３（ハードキーとして設けられてもよい）に対する操作を、ジョブの実行の指示と認識する。ジョブ実行指示が表示入力装置１０になされると、操作制御部１１は、選択された基本機能を示すデータや、選択された設定項目、設定値のようなジョブの設定内容を示すデータを、通信部１４から複合機１００の主制御部１１０に、送信させる。操作制御部１１は、設定値がデフォルトの設定項目についてはデフォルトの設定値を、デフォルトから変更された設定項目については変更後の設定値を複合機１００の主制御部１１０に通知して、全ての設定項目の設定値を通知するようにしてもよい。あるいは、表示入力装置１０（操作制御部１１）と主制御部１１０のそれぞれが設定項目のデフォルトの設定値を記憶、認識しておき、操作制御部１１は、デフォルトから変更された設定項目の設定値のみを主制御部１１０に通知するようにしてもよい。
【００５６】
そして、主制御部１１０は、デフォルト値と通知された設定内容（各設定項目の設定値）に応じた印刷（コピージョブ）を印刷部に行わせる。例えば、集約印刷の設定項目で「２ｉｎ１」の設定値が設定されていた場合、当該コピージョブでは、主制御部１１０は、１枚の用紙に２ページ分の原稿が配されるように印刷を印刷部に行わせる。
【００５７】
一方、操作制御部１１は、初期画面Ｓ１で、タッチパネル部１３の出力に基づき、ワークフロー利用キーの操作がなされたことを認識すると、図８に示すワークフロー管理画面Ｓ４を表示させる。ワークフロー管理画面Ｓ４は、初期画面Ｓ１の１つだけ下の階層の画面である。操作制御部１１は、ワークフロー管理画面Ｓ４に、登録されているワークフローＷＦに対応するワークフローキーＫ４１を表示させる。図８の例では、ワークフローキーＫ４１は無地で簡略化して示している。しかし、操作制御部１１は、ワークフローキーＫ４１内に、登録時に設定されたワークフローＷＦの名称や、組み合わされた機能や、デフォルトから変更されている設定項目名や設定値などを示す文字や画像を表示させ得る。
【００５８】
操作制御部１１は、ワークフロー管理画面Ｓ４に表示されているワークフローキーＫ４１に対し、予め定められた呼び出し操作がなされたことを受け付ける。そして、操作制御部１１は、呼び出し操作がなされたワークフローキーＫ４１に対応するワークフローＷＦを呼び出すと認識する。予め定められた呼び出し操作は、ワークフローキーＫ４１の１回タッチや、ダブルクリック的なタッチなど、適宜定めることができる。
【００５９】
ワークフローＷＦを呼び出すことで、ワークフローＷＦの内容（基本機能の中から選択された第１機能、第１機能に関して予め選択、設定した設定項目、設定値）を反映して直ちに第１機能のジョブを開始することや、表示入力装置１０を第１機能と予め選択、設定した設定項目、設定値で設定されている状態としたり（ワークフローで定義される状態を再現したり）することができる（詳細は後述）。ワークフローＷＦは、種々のパラメータ値を含むデータとして記憶部１５に記憶される。
【００６０】
また、ワークフロー管理画面Ｓ４では、表示入力装置１０の記憶部１５に登録した（記憶させた）ワークフローＷＦの呼び出し（使用）の他、ワークフローＷＦの削除、ワークフローＷＦの内容編集や、新たなワークフローＷＦの登録の開始指示を行うこともできる。
【００６１】
尚、登録できるワークフローＷＦの個数は、上限はあるものの、少なくとも数十個以上は登録可能である。そのため、ワークフロー管理画面Ｓ４の１画面内に、全ての登録されたワークフローＷＦを表示しきれない場合がある。そこで、ワークフロー管理画面Ｓ４には、次ページキーＫ４２が設けられる。次ページキーＫ４２への操作がなされると、操作制御部１１は、ワークフロー管理画面Ｓ４のページを切り替え、以前のページで表示していないワークフローキーＫ４１を表示部１２に表示させる。また、ワークフロー管理画面Ｓ４を前ページに戻すための前ページキーＫ４３も設けられる。
【００６２】
（ワークフローＷＦの作成、登録手順）
本実施形態の表示入力装置１０では、ワークフローＷＦを登録する手順としては、大別して２通りある。以下では、項目選択画面Ｓ３でジョブ実行のために設定した設定値（デフォルトとは異なる設定値）を用いてワークフローＷＦを作成する手順を第１の手順として説明する。
【００６３】
第２の手順は、ワークフロー管理画面Ｓ４に対して操作を行うことにより、基本機能のなかから用いる第１機能を選択し、第１機能に関する設定項目を選択し、選択した設定項目の設定値を定めて、ワークフローＷＦの新規作成、登録を行う手順である。以下の説明では、まず、第１の手順を説明し、続いて、第２の手順を説明する。
【００６４】
（ワークフローＷＦの作成、登録の第１の手順）
次に、図８〜図１５を用いて、ワークフローＷＦの作成、登録の第１の手順を説明する。図９は基本機能単体でワークフローＷＦを作成するか、複数の機能を組合せたワークフローＷＦを作成するかを選択するための組合せ確認画面Ｓ５の一例を示す図である。図１０は、ワークフローＷＦを登録するときに表示されるテンプレート画面Ｓ６の一例を示す図である。図１１は、クラウドを利用する機能を用いるときのクラウド設定画面Ｓ７の一例を示す図である。図１２は内容確認画面Ｓ８の一例を示す図である。図１３は内容確認画面Ｓ８の一例を示す図である。図１４は、ワークフローＷＦの利用形式設定画面Ｓ９の一例を示す図である。図１５は、ワークフローＷＦの名称設定画面Ｓ１０の一例を示す図である。尚、組合せ確認画面Ｓ５、テンプレート画面Ｓ６、内容確認画面Ｓ８及び利用形式設定画面Ｓ９は、ワークフローＷＦを作成及び登録するための画面（ワークフロー作成登録画面）である。
【００６５】
図７に示すように、操作制御部１１は、項目選択画面Ｓ３内に、ワークフロー作成キーＫ３０を表示部１２に表示させる。なお、ワークフロー作成キーＫ３０は、各基本機能の各項目選択画面Ｓ３内に配される。図７の例では、星図形（星形アイコン）がワークフロー作成キーＫ３０である。
【００６６】
ワークフロー作成キーＫ３０に対するタッチ操作がなされたことを認識すると、操作制御部１１は、図９に示すような組合せ確認画面Ｓ５を表示させる。このとき、操作制御部１１は、組合せ画面Ｓ５を表示させる直前に表示していた項目選択画面Ｓ３で設定内容が設定された基本機能が第１機能として選択されたと認識する。また、操作制御部１１は、項目選択画面Ｓ３で設定された設定内容を第１機能の設定内容として記憶部１５に保持させる。また、操作制御部１１は、組合せ確認画面Ｓ５内に、第１確認キーＫ５１と第２確認キーＫ５２を表示部１２に表示させる。第１確認キーＫ５１は、ワークフロー作成キーＫ３０への操作がなされたときに設定していた基本機能に他の機能を組み合わせたワークフローＷＦを作成、登録するときに操作される。第２確認キーＫ５２は、ワークフロー作成キーＫ３０への操作がなされたときに設定していた基本機能単体（他の機能を組み合わせない）のワークフローＷＦを作成、登録するときに操作される。
【００６７】
操作制御部１１は、選択された第１機能で選択されていた設定項目と、デフォルトから変更されていた設定値と、更に、基本機能に組み合わせることができると予め定められた機能（組合せ機能）を組み合わせてワークフローＷＦとして登録するための制御を行う。具体的には、第１確認キーＫ５１に対する操作を認識すると、操作制御部１１は、図１０に示すようなテンプレート画面Ｓ６を表示部１２に表示させる。
【００６８】
テンプレート画面Ｓ６は、組合せ機能のうち、複合機１００に備わるコピー機能、ボックス機能、送信機能、ＦＡＸ送信機能といった第１機能に、組み合わせる機能を選択するための画面である。例えば、テンプレート画面Ｓ６には、予め定められた複数の組合せ機能が選択肢として示される。
【００６９】
テンプレート画面Ｓ６では、第１機能と、クラウドを利用する機能（ダウンロード機能、アップロード機能）を組み合わせるか否かを設定することができる。本実施形態の複合機１００におけるクラウドを利用する機能とは、オンライン（ネットワーク）のストレージサービスを利用する機能である。また、テンプレート画面Ｓ６では、ワークフローＷＦを呼び出したとき、実行された第１機能のジョブと同内容の画像データを指定するコンピューター４００やＦＡＸ装置５００や本体側記憶部１１３に送信する控え画像送信機能を、第１機能に組み合わるか否かを設定することもできる。
【００７０】
そして、クラウドを利用する機能を表示入力装置１０と複合機１００で利用できるようにするため、表示入力装置１０の記憶部１５と複合機１００の本体側記憶部１１３には、クラウド機能を利用するためのアプリケーションＡＰがインストールされる。操作制御部１１や主制御部１１０は、必要に応じてクラウド機能を利用するためのアプリケーションＡＰを起動させ、クラウドを利用する機能を実現する。
【００７１】
１．ダウンロード機能
組合せ機能のうち、ダウンロード機能を利用するとき、操作制御部１１は、呼び出されたワークフローＷＦのデータで定義されたクラウド（サーバー６００）のパスに基づき、ジョブに用いるデータをクラウドから複合機１００（本体側通信部１２０）に受信させる。
【００７２】
第１機能とダウンロード機能が組み合わせられたワークフローＷＦに基づきジョブが実行されると、操作制御部１１は、複合機１００の本体側通信部１２０（主制御部１１０）に向けて、クラウドからのデータのダウンロードと、ダウンロードさせたデータに基づき、ワークフローＷＦで定められた第１機能の設定内容（選択された設定項目及び設定された設定値）でのジョブ実行を指示するデータを通信部１４から送信させる。複合機１００の主制御部１１０は、表示入力装置１０からの指示（データ）に応じ、印刷部や本体側通信部１２０を動作させる。本体側通信部１２０は、操作制御部１１から受信したデータに記されたパスに基づき、クラウドからデータをダウンロードする。そして、複合機１００の本体記憶部１５はダウンロードされたデータを記憶する。複合機１００の主制御部１１０は、ダウンロードされたデータに基づき、ジョブ実行をさせる。例えば、業務における定型的な文書や、ひな形文書をクラウドから流し込んで印刷や送信を行うことで、ミスの無い印刷や送信を行うことができる。この場合、表示入力装置１０は、複合機１００に命令、指示を与える装置として機能する。
【００７３】
尚、無線通信システムと接続可能なタブレットやスマートフォンは、自らクラウドからデータをダウンロードする能力がある。そこで、タブレットやスマートフォンを表示入力装置１０として用いるとき、第１機能とダウンロード機能を組み合わせたワークフローＷＦに基づきジョブが実行されると、端末制御部３０１が端末通信部３０５に、クラウド（ネットワークストレージ）からジョブに用いるデータをダウンロードさせ、ダウンロードしたデータを複合機１００の本体側通信部１２０（主制御部１１０）に向けて転送するようにしてもよい。
【００７４】
例えば、第１機能としての送信機能とダウンロード機能を組み合わせたワークフローＷＦに基づいたジョブの実行指示がなされたとき、操作制御部１１は、本体側通信部１２０に向けて、ワークフローＷＦの設定内容（第１機能と選択された設定項目とその設定値）で送信ジョブを実行すべき旨の指示と、ワークフローＷＦで定められたパスの場所からデータをダウンロードすべき旨の指示を通信部１４に送信させる。この指示を受けて、主制御部１１０は、本体側通信部１２０に指定されたパスからデータをダウンロードさせ、ワークフローＷＦの設定内容に基づいて、ジョブの実行を制御する。
【００７５】
ダウンロード機能を組み合わせたワークフローＷＦの作成のため、テンプレート画面Ｓ６には、ダウンロード機能キーＫ６１が設けられる。テンプレート画面Ｓ６でダウンロード機能キーＫ６１への操作を認識すると、操作制御部１１は、図１１に示すようなクラウド設定画面Ｓ７を表示部１２に表示させる。
【００７６】
具体的に、ダウンロード機能キーＫ６１への操作を認識したとき、操作制御部１１は、記憶部１５内のクラウドサービス用のアプリケーションＡＰを起動し、クラウド機能を利用するためのアカウント、ユーザーＩＤ、パスワードなどを設定するためのログイン画面（不図示）を表示部１２に表示させる。そして、操作制御部１１は、オンラインストレージの提供者（サーバー６００）にログイン画面に入力された情報を通信部１４から送信させる。そして、認証を受けることができれば、操作制御部１１は、図１１に示すようなオンラインストレージのデータ構造画面を表示部１２に表示させる。
【００７７】
図１１の例では、クラウドのデータ構造は、階層式である。使用者は、表示されたフォルダＦに対するタッチ操作を繰り返し、一番上の階層からダウンロードしたいデータが格納されたフォルダＦ内部を表示させる。そして、表示位置をタッチしてダウンロードしたいデータを指定する。このようにして、操作制御部１１は、ダウンロード機能と第１機能と組み合わせたワークフローＷＦ作成過程での、指定されたデータのパス（ダウンロード元のパス）を認識する。そして、クラウド設定画面Ｓ７のＯＫキーＫ７１への操作を認識すると、操作制御部１１は、第１機能にダウンロード機能を組み合わせること、及び、確定されたダウンロード元のパスを認識する。
【００７８】
２．アップロード機能
組合せ機能のうち、アップロード機能を利用するとき、操作制御部１１は、呼び出されたワークフローＷＦのデータで定められたクラウド（サーバー６００）のパスに基づき、複合機１００の本体側通信部１２０にデータをクラウドにアップロードさせる。
【００７９】
第１機能とアップロード機能を組み合わせたワークフローＷＦを呼び出してジョブを実行すると、操作制御部１１は、スキャンや通信で得られた画像データに基づき、ワークフローＷＦのうちの第１機能の設定内容でジョブを実行する旨の指示を主制御部１１０に与える。更に、操作制御部１１は、ワークフローＷＦで定められパスに従って、本体側通信部１２０に、ジョブの控えとしての控え画像データをアップロードすべき指示を主制御部１１０に向けて送信する。主制御部１１０はこれらの指示に沿って、印刷部や本体側通信部１２０を動作させる。
【００８０】
尚、無線通信システムと接続可能なタブレットやスマートフォンは、自らクラウドにデータをアップロードする能力がある。そこで、タブレットやスマートフォンを表示入力装置１０として用いるとき、第１機能とアップロード機能を組み合わせたワークフローＷＦを呼び出してジョブが実行されると、端末制御部３０１が複合機１００の本体側通信部１２０からアップロードするデータを受信し、受信したアップロード用のデータを端末通信部３０５がクラウド（ネットワークストレージ）にアップロードしてもよい。
【００８１】
ここで、控え画像データは、印刷や送信やボックス機能（スキャンで得られたデータの本体記憶部１５への記憶）のような第１機能のジョブの実行結果を示す画像データである。尚、ファイル形式は、ワークフローＷＦの設定内容に基づいた第１機能の実行時に生成される画像データと異なる場合がある。例えば、２ｉｎ１の設定値を有するワークフローＷＦが呼び出され、ジョブが実行されたとき、控え画像データは、１ページ内に２ページ分の画像が配された画像データとなる。例えば、業務日誌や報告書などの書類の印刷やスキャン送信とアップロード機能を組み合わせておくことで、控えとなる画像データをクラウドに蓄えておくことができる。
【００８２】
複合機１００の主制御部１１０は、操作制御部１１からの指示に基づき、ジョブの実行を制御する。具体的に、主制御部１１０は、呼び出されたワークフローＷＦの設定内容に基づいて印刷部や読取部や本体側通信部１２０にジョブを実行させ、複合機１００の本体側通信部１２０に、控え画像データをクラウドにアップロードさせる。
【００８３】
例えば、送信機能とアップロード機能が組み合わされたワークフローＷＦを実行すると、ワークフローＷＦの第１機能の設定内容で画像データの送信がなされるとともに、控え画像データをワークフローＷＦで指定された格納場所（パス）にアップロードすることができる。
【００８４】
アップロード機能を組み合わせたワークフローＷＦの作成のため、テンプレート画面Ｓ６には、アップロード機能キーＫ６２が設けられる。そして、テンプレート画面Ｓ６でアップロード機能キーＫ６２に対する操作を認識したときも、操作制御部１１は、パスの設定のために、図１１に示すようなクラウド設定画面Ｓ７を表示部１２に表示させる。
【００８５】
具体的には、操作制御部１１は、アップロード機能キーＫ６２の表示位置がタッチされたときも、クラウドサービス用のアプリケーションＡＰを起動し、クラウド機能を利用するためのアカウント、ユーザーＩＤ、パスワードなどを設定するためのログイン画面を表示部１２に表示させる。そして、操作制御部１１は、オンラインストレージの提供者（サーバー６００）にログイン画面に入力された情報を通信部１４から送信させる。そして、認証を受けることができれば、操作制御部１１は、図１１に示すようなオンラインストレージのデータ構造画面を表示部１２に表示させる。
【００８６】
そして、使用者は、アップロードするデータを格納したいフォルダをタッチ操作により指定する。このように、操作制御部１１は、アップロード機能と第１機能と組み合わせたワークフローＷＦ作成過程での、指定されたデータのパス（アップロード先のパス）を認識する。そして、クラウド設定画面Ｓ７のＯＫキーへの操作を認識すると、操作制御部１１は、第１機能にアップロード機能を組み合わせること、及び、確定されたアップロード先のパスを認識する。
【００８７】
３．控え画像送信機能
控え画像送信機能は、コピー機能や送信機能やボックス機能のような基本機能に組み合わせて、指定の送信先に控え画像データを送信する機能である。例えば、報告書や回覧文書など、各人の控えを別途まとめて保存したり、複数人が閲覧できる場所に送信された文書を保存したりするため、特定のコンピューター４００やＦＡＸ装置５００に控えを送信したい場合がある。このような場合、文書作成者自信の印刷やスキャンにあわせ、控え画像送信機能を利用することで、漏れなく文書の画像データを特定の宛先に送信することができる。尚、控え画像データは、アップロード機能の場合と同様のデータである。
【００８８】
具体的に、控え画像送信機能では、表示入力装置１０の操作制御部１１は、ワークフローＷＦで定められた第１機能、第１機能で選択された設定項目、設定された設定値といった設定内容で、ジョブを実行する旨の指示を複合機１００の主制御部１１０（本体側通信部１２０）に送信する。主制御部１１０は、印刷部、読取部、通信部１４等に指示にそった動作を行わせ、ジョブを実行させる。
【００８９】
また、操作制御部１１は、呼び出されたワークフローＷＦの設定内容のジョブの控えとしての控え画像データを、指定の送信先（ＦＡＸアドレスやネットワークアドレス等）に、送信する処理を行う指示を、複合機１００の主制御部１１０（本体側通信部１２０）に送信する。主制御部１１０は、指示に基づき、指定された送信先に、控え画像データを本体側通信部１２０から送信させる。
【００９０】
このような複合機１００の基本機能と、更にコンピューター４００などへの送信機能とが組み合わされた控え画像送信機能を組み合わせたワークフローＷＦの作成、登録のため、テンプレート画面Ｓ６には、控え画像送信機能キーＫ６３が設けられる。控え画像送信機能キーＫ６３への操作を認識すると、操作制御部１１は、通常の送信ジョブと同様の送信先設定画面（不図示）を表示部１２に表示させる。例えば、送信先設定画面には、予め登録しておいた宛先を名称などで絞り込み、宛先を設定するためのアドレス帳が表示される。また、ソフトウェアキーボードＫＢで宛先の手入力することにより、送信先のアドレスを指定することもできる。
【００９１】
これにより、組合せ機能（第２機能）としての控え画像送信機能における送信先（宛先、アドレス）を指定することができる。そして、送信先が設定された後に送信先設定画面が閉じられる操作がなされたことを認識すると、操作制御部１１は、基本機能に控え画像送信機能を組み合わせること、ワークフローＷＦが呼び出されて実行されたとき、指定された宛先に控え画像データを送信する旨の設定がなされたと認識する。
【００９２】
また、テンプレート画面Ｓ６には、その他キーＫ６４が配される。その他キーＫ６４は、上記の３つの機能（ダウンロード機能、アップロード機能、控え画像送信機能）以外の機能を第１機能に組み合わせる機能として選択するときに操作される。
【００９３】
その他キーＫ６４への操作（タッチ）を認識すると、操作制御部１１は、ダウンロード機能、アップロード機能、控え画像送信機能以外に第１機能に組み合わせ得る機能を設定するための画面を表示させる。この画面では、第１機能以外の基本機能を組合せ機能として選択することができる。言い換えると、操作制御部１１は、第１機能に、１又は複数の基本機能を第２機能として組み合わせたワークフローＷＦを作成、登録する操作を認識し、受け付ける。そのため、コピー機能、送信機能、ボックス機能などのような基本機能は、組合せ機能としても扱われ得る。例えば、操作制御部１１は、第１機能が送信機能であるとき、コピー機能やボックス機能を組合せ機能として設定する操作を認識する。
【００９４】
また、その他キーＫ６４への操作（タッチ）がなされると表示する画面では、選択されたそれぞれ１つの第１機能、第２機能に、更に別の機能を組み合わせる設定を行うこともできる。言い換えると、３つ以上の機能を含むワークフローＷＦの作成を行うこともできる。例えば、タッチパネル部１３は、第１機能としてのコピー機能に、アップロード機能、控え画像送信機能などを組み合わせる設定入力を受け付ける。そして、操作制御部１１は、基本機能（第１機能）に複数の他の機能（第２機能）が組み合わせられたことを認識する。
【００９５】
また、その他キーＫ６４への操作の後、機能を選択する操作がなされると、操作制御部１１は、第１機能に組み合わせると設定された第２機能（基本機能や組合せ機能）について、設定項目の選択や設定値の設定やパスの設定のような、第１機能に組み合わせる機能の設定用画面を表示部１２に表示させる。操作制御部１１は設定用画面でなされた操作、入力の内容を認識する。
【００９６】
一方で、テンプレート画面Ｓ６で組合せ機能（第２機能）の選択及び設定を行った後、又は、テンプレート画面Ｓ６で組合せ機能を選択しないでテンプレート画面Ｓ６内に配された次キーＫ６５への操作がなされると、操作制御部１１は次段階の画面を表示させる。
【００９７】
具体的に、テンプレート画面Ｓ６の次のステップとして、操作制御部１１は、図１２に示すような内容確認画面Ｓ８を表示部１２に表示させる。図１２の例では、作成中のワークフローでの第２機能がダウンロード機能であり、第１機能がコピー機能である例を示している。
【００９８】
内容確認画面Ｓ８は、第１機能の種類と、第１機能で選択、設定された設定項目、設定値といった第１機能の設定内容（情報）と、第１機能に組み合わされた第２機能の確認と、設定変更を行うための画面である。内容確認画面Ｓ８内には、組み合わせられた第２機能に対応する第２機能キーＫ８１（図１２の左側のキー）と、第１機能に対応する第１機能キーＫ８２（図１２において右側のキー）が配される。
【００９９】
そして、第２機能がクラウドに関する機能のとき、第２機能キーＫ８１への操作がなされると、操作制御部１１は、クラウドを利用する機能の現時点の設定値として、クラウドサービス名やアップロード先のパス名や、ダウンロード先のパス名、および、ダウンロードするデータ名などの第２機能の設定内容（情報）を含む一覧を表示部１２に表示させる。また、第２機能が控え画像送信機能のとき、第２機能キーＫ８１への操作がなされると、操作制御部１１は、控え画像送信機能の現時点の設定値として、送信先のアドレスや、送信方法（ネットワーク送信かＦＡＸ送信かなど）などの情報を含む一覧を表示部１２に表示させる（不図示）。
【０１００】
また、操作制御部１１は、第１機能キーＫ８２へのタッチ操作を認識すると、第１機能で選択された設定項目、選択された設定項目の設定値の各名称を一覧形式で表示部１２に表示させる。図１２では、色設定、集約印刷、印刷部数、印刷に用いる用紙サイズの設定項目とそれらの設定値が一覧形式で表示されている例を示している。尚、操作制御部１１は、内容確認画面Ｓ８の表示開始と同時に、第２機能と第１機能のそれぞれの一覧を表示部１２に表示させてもよい。
【０１０１】
表示部１２は、第１機能と第２機能の一覧内に１又は複数の項目バーＢ（帯状の画像）を表示させる。操作制御部１１は、第１機能の項目バーＢに対するタッチ操作を、設定項目の選択や設定値を変更する操作と認識する。操作制御部１１は、操作された第１機能の項目バーＢに対応する設定項目の設定値設定画面を表示部１２に表示させる。例えば、図１２に示す一覧のうち、集約印刷の文字を含む項目バーＢに対する操作を認識すると、操作制御部１１は、集約印刷の設定項目の設定値を選択するための画面を表示部１２に表示させる。このように、タッチパネル部１３は内容確認画面Ｓ８での設定値の再設定を受け付け、操作制御部１１は、再設定された値を認識する。
【０１０２】
なお、一覧に入る設定項目が多数あり（選択された設定項目が多数であり）、一覧内に全ての設定項目が入りきらない場合がある。この場合、操作制御部１１は、予め定められたスクロール操作（たとえば、フリック操作など）が一覧の表示領域において行われると、一覧をスクロールさせることにより、一覧の非表示部１２分を表示部１２に表示させる。
【０１０３】
また、第１確認キーＫ５１に操作を行ってテンプレート画面Ｓ６が表示されたものの、組合せ機能の選択、設定がなされないまま、次キーＫ６５への操作がなされると、制御部は、図１３に示すような内容確認画面Ｓ８を表示部１２に表示させる。図１３の例では、組合せ機能が設定されていないので、第１機能についてのみ、キーや一覧の表示がなされている状態を示している。
【０１０４】
尚、図１３の内容確認画面Ｓ８でも、図１２について行った説明と同様に、第１機能の一覧の表示と設定値の再設定を行うことができる。
【０１０５】
また、項目選択画面Ｓ３内のワークフロー作成キーＫ３０への操作後、組合せ確認画面Ｓ５内の第２確認キーＫ５２に対して操作がなされたとき、使用者は、基本機能単体のワークフローＷＦを作成および登録する旨の入力を行ったことになる。この場合も、操作制御部１１は、次の画面として、図１３に示す内容確認画面Ｓ８を表示させる。
【０１０６】
そして、内容確認画面Ｓ８に設けられた次キーＫ８３への操作を認識すると、操作制御部１１は、図１４に示すようなワークフローＷＦの利用形式設定画面Ｓ９を表示部１２に表示させる。
【０１０７】
利用形式設定画面Ｓ９では、ワークフローＷＦをどのように利用するか設定することができる。まず、本実施形態の登録された各ワークフローＷＦは、呼び出されたワークフローＷＦで基本機能のなかから選択された第１機能、第１機能で選択された設定項目、第１機能で設定された設定値、アップロード機能やダウンロード機能のような組合せ機能のなかから選択された第２機能、第２機能での指定されたパスやアドレスといった複数種の設定値を示すデータを含む。
【０１０８】
そして、ワークフローＷＦの利用形態は、以下の３種に大別される。
（１）直接実行形式（呼び出すと直ちにジョブ実行）
（２）ウィザード形式（呼び出すと第１機能の各設定項目の設定値設定画面を順番に表示）
（３）設定値呼び出し形式（表示入力装置１０をワークフローＷＦで定められた設定値で設定された状態とする）
【０１０９】
まず、操作制御部１１は、利用形式設定画面Ｓ９の直接実行キーＫ９１の表示位置をタッチする操作を、直接実行形式のワークフローＷＦを作成する指示として認識する。また、操作制御部１１は、ウィザード形式キーＫ９２の表示位置をタッチする操作を、ウィザード形式のワークフローＷＦを作成する指示として認識する。また、操作制御部１１は、利用形式設定画面Ｓ９の設定値呼び出しキーＫ９３の表示位置をタッチする操作を、設定値呼び出し形式のワークフローＷＦを作成する指示として認識する。尚、ワークフローＷＦを呼び出したときの形式に応じた具体的な振る舞いの詳細は、後述する。
【０１１０】
利用形式設定画面Ｓ９で次キーＫ９４に対する操作がなされると、操作制御部１１は、ワークフローＷＦの利用形式の設定が完了したと認識する。また、操作制御部１１は、操作（選択）されたキーの利用形式をワークフローＷＦの利用形式と認識する。そして、利用形式設定画面Ｓ９で次キーＫ９４への操作がなされると、操作制御部１１は、図１５に示すワークフローＷＦの名称設定画面Ｓ１０を表示部１２に表示させる。
【０１１１】
名称設定画面Ｓ１０では、登録しようとするワークフローＷＦの名称を設定することができる。名称設定画面Ｓ１０内には、ソフトウェアキーボードＫＢが配される。使用者は、ソフトウェアキーボードＫＢを用いて、ワークフローＷＦの名称を入力することができる。操作制御部１１は、ソフトウェアキーボードＫＢの各キーへのタッチ操作を認識し、入力された文字、記号を名称表示欄に表示させる。
【０１１２】
そして、名称設定画面Ｓ１０には、登録しようとするワークフローＷＦの設定（手順）の完了を受け付けるための終了キーＫ１０１が配される。名称設定画面Ｓ１０で終了キーＫ１０１への操作（ワークフローＷＦの登録操作）がなされると、操作制御部１１は、登録しようとするワークフローＷＦの各機能（第１機能、第２機能が選択された場合には第１機能と第２機能）の設定内容を完了させ、設定された内容のワークフローＷＦを登録指示がなされたと認識する。
【０１１３】
終了キーＫ１０１への操作がなされると、操作制御部１１は、記憶部１５に上記の過程で設定された内容のワークフローＷＦのデータを記憶させる。具体的に、操作制御部１１は、ワークフローＷＦとして、第１機能、第１機能の設定項目、選択した設定項目の設定値（デフォルトの設定値と異なる設定値）、組合せ機能の有無、選択した組合せ機能、第２機能の設定内容（クラウドに関するデータ保存先のパスや、ダウンロード元のパス、控え画像送信機能での送信先アドレス等）、選択された利用形式、設定されたワークフローＷＦ名、作成日時といった値、情報をデータとして記憶部１５に登録（記憶）させる。これにより、ワークフローＷＦの登録が完了する
【０１１４】
（ワークフローＷＦの作成、登録の第２の手順）
次に、図８、図１６、図１７を用いて、ワークフローＷＦの作成、登録の第２の手順を説明する。図１６はワークフローＷＦで用いる基本機能を選択するための機能選択メイン画面Ｓ１１の一例を示す図である。図１７は、第１機能として選択された基本機能の設定項目を選択及び設定値の設定するための項目選択画面Ｓ１２の一例を示す図である。
【０１１５】
上述した第１の手順は、ジョブを実行するために設定を行っている途中、あるいは、ジョブの実行開始や、ジョブの終了の時点で、自己がなしたジョブの設定内容のワークフローＷＦを新たに登録しようと思い立った場合に、簡易にワークフローＷＦを登録できるようにするための手順である。これにより、設定作業の途中で、現在の設定値を保存しておこうと思い立ったとき、ジョブを実行してからふとワークフローＷＦを登録したくなったとき、現在選択している設定項目や設定値を破棄することなく、現在の設定状態、あるいは、現在の設定状態に変更や設定追加を施した内容のワークフローＷＦを容易に作成、登録することができる。
【０１１６】
一方、ワークフロー管理画面Ｓ４に対して操作を行うことにより、ワークフローＷＦの新規作成、登録を開始することができる。これが第２の手順である。例えば、用いたい基本機能、選択する設定項目、設定値などが予め決まっている場合などでは、第２の手順でワークフローＷＦの作成、登録を行えると便利である。また複数のワークフローＷＦの作成、登録手順が用意することで、ワークフローＷＦの作成のしやすさを高めることができる。
【０１１７】
具体的に、第２の手順に基づくワークフローＷＦの新規登録の開始のため、ワークフロー管理画面Ｓ４内に、新規登録キーＫ４０が配される。図８の例では、新規登録キーＫ４０は、新規追加を意味するプラスの記号を模した図形として配される。そして、操作制御部１１は、新規登録キーＫ４０の表示位置をタッチする操作を、機能、設定項目、設定値の選択を最初から行う新規のワークフローＷＦの作成、登録の開始指示として認識する。
【０１１８】
尚、新規登録キーＫ４０は、ワークフロー管理画面Ｓ４だけではなく、ワークフロー管理画面Ｓ４のひとつ上の階層の初期画面Ｓ１内に表示するようにしてもよい（図５参照）。また、新規登録キーＫ４０は、ワークフロー管理画面Ｓ４ではなく初期画面Ｓ１内のみに表示するようにしてもよい。このような上位の階層に新規登録キーＫ４０を配するので、よりワークフローＷＦの機能を利用してもらいやすくなる。
【０１１９】
新規登録キーＫ４０への操作がなされると、操作制御部１１は、図１６に示すような機能選択メイン画面Ｓ１１を表示部１２に表示させる。機能選択メイン画面Ｓ１１には、ホーム画面Ｓ２と同様に、コピーキーなど、ワークフローＷＦで用いる基本機能を選択するための基本機能キーＫ２１が配される。ここで、ワークフローＷＦの作成中を明示するため、操作制御部１１は、ワークフロー登録モードであるメッセージを表示部１２に表示させてもよい（図１６参照）。そして、操作制御部１１は、この機能選択メイン画面Ｓ１１でタッチ操作されたキーに対応する機能を、ワークフローＷＦで用いる基本機能（第１機能）と認識する。
【０１２０】
そして、機能選択メイン画面Ｓ１１で、新規作成するワークフローＷＦで用いる基本機能（第１機能）の選択がなされると、操作制御部１１は、第１機能の設定項目を選択するための項目選択画面Ｓ１２を表示させる。図１７は、コピー機能が選択されたときの項目選択画面Ｓ１２の一例を示している。
【０１２１】
各基本機能の項目選択画面Ｓ１２は、通常の設定における項目選択画面Ｓ３と同様である。しかし、ワークフローＷＦの作成中を明示するため、操作制御部１１は、ワークフロー登録モードであるメッセージを表示部１２に表示させてもよい（図１７参照）。操作制御部１１は、通常の設定時におけるジョブの実行開始を指示するためのスタートキーＫ３３に変えて、設定項目の選択と設定値の設定を完了するためのＯＫキーＫ１２３を表示部１２に表示させる。
【０１２２】
操作制御部１１は、項目選択画面Ｓ１２のうち、設定項目のグループを選択するためのグループ選択キーＫ１２２を、グループ選択領域に表示させる。また、操作制御部１１は、設定項目表示領域ＳＡ内に、複数の設定項目キーＫ１２１を表示部１２に表示させる。何れかの設定項目キーＫ１２１への操作がなされると、操作制御部１１は、選択された（タッチされた）設定項目の設定値の選択するための設定値設定画面（不図示）を表示部１２に表示させる。これらの点は、通常の設定と同様である。これらの操作を認識することにより、操作制御部１１は、ワークフローＷＦに含める第１機能について、選択された設定項目と、選択、設定された設定値を認識する。
【０１２３】
項目選択画面Ｓ１２でＯＫキーＫ１２１への操作がなされると、操作制御部１１は、新規作成するワークフローＷＦの第１機能の設定が完了したと認識する。そして、操作制御部１１は、図１０に示すテンプレート画面Ｓ６を表示部１２に表示させる。
【０１２４】
そして、第２の手順では、テンプレート画面Ｓ６移行の設定手順は、第１の手順と同様であり、第１の手順の説明をそのまま適用することができる。記載の重複をさけるため、テンプレート画面Ｓ６から名称入力画面までの説明は、第１の手順の記載を援用するものとして省略する。
【０１２５】
（ワークフロー登録情報の表示）
次に、図１８〜図２２を用いて、ジョブ開始以降に報知されるワークフロー登録情報について説明する。図１８は、ジョブの実行中に表示部１２に表示されるステータス画面の一例を示す図である。図１９〜図２２は、基本機能のジョブの開始以降にその基本機能の設定内容を示すデータを含むワークフローが登録されていない場合に表示部１２に表示されるワークフロー登録情報の一例を示す図である。
【０１２６】
基本機能のジョブを所望の設定内容（デフォルトとは異なる設定値）で実行させたいときには、ジョブ実行に際して使用する基本機能を選択することによって対応する項目選択画面Ｓ３を表示させ、その項目選択画面Ｓ３（下位階層の設定値設定画面を含む）にて設定値を所望値に変更し、スタートキーＫ３３に対してタッチ操作を行う。これにより、複合機１００では、基本機能のジョブが変更後の設定値（所望の設定値）で開始される。
【０１２７】
このように使用者の設定操作によって基本機能（ジョブ実行に際して選択された基本機能）の設定値が変更された場合、操作制御部１１は、記憶部１５に保持された基本機能の設定項目のうち設定値が変更された設定項目のデフォルトの設定値を変更後の設定値に更新する（現在設定値データＤ２を更新する）。また、操作制御部１１は、表示部１２に設定値を表示させるための設定表示用データＤ３（図１、図２参照）も変更後の設定値を示すデータに書き換える。そして、操作制御部１１は、設定値が変更された設定項目に対応する設定項目キーＫ３１の上側に、変更後の設定値を表示させる。
【０１２８】
ジョブが開始されると、操作制御部１１は、表示画面を項目選択画面Ｓ３からステータス画面Ｓ１３（図１８参照）に切り替えさせる。ステータス画面Ｓ１３には、実行中のジョブの情報や実行状況などを示すステータス情報ＳＩが表示される。図１８には、実行中のジョブがコピージョブである場合のステータス画面Ｓ１３を図示している。例えば、コピージョブの場合には、ジョブが開始されると（スタートキーＫ３３に対してタッチ操作を行うと）、原稿Ｄの読み取り枚数などがステータス画面Ｓ１３で示される。そして、原稿Ｄの読み取りが終わると、コピージョブの実行中（印刷中）であっても、ステータス画面Ｓ１３から元の項目選択画面Ｓ３に戻る。
【０１２９】
項目選択画面Ｓ３には、現在の設定内容（変更後の設定値）をリセットするためのリセットキーＫ３４が配される。このリセットキーＫ３４に対してタッチ操作が行われると、操作制御部１１は、項目選択画面Ｓ３で設定された基本機能の設定内容をリセットする。これにより、使用者の設定操作により変更した基本機能の変更後の設定値がデフォルトに戻る。すなわち、リセットキーＫ３４に対するタッチ操作が行われるまで、記憶部１５には、使用者の設定操作により変更した基本機能の変更後の設定値が保持される。尚、ホーム画面キーＨＫに対するタッチ操作が行われたときにも、操作制御部１１は、現在の設定内容（変更後の設定値）をリセットする。
【０１３０】
そして、操作制御部１１は、項目選択画面Ｓ３で設定内容を設定した基本機能のジョブを複合機１００に実行させるための操作（スタートキーＫ３３に対するタッチ操作）をタッチパネル部１３が受け付けた時点（ジョブ受付時点）において、項目選択画面Ｓ３で設定された基本機能の設定内容を示すデータを含むワークフローＷＦが登録されていない場合（以下、第１の場合とする）、図１９に示すように、項目選択画面Ｓ３で設定した基本機能のジョブ受付時点の設定内容を示すデータを含むワークフローＷＦを登録できる旨を報知するためのワークフロー登録情報ＲＩ（ＲＩ１）を表示部１２に表示させる。尚、ワークフロー登録情報ＲＩの表示は、ジョブ受付時点以降の所定時点に開始される。例えば、操作制御部１１は、ワークフロー登録情報ＲＩとして、テキストメッセージを表示させる。
【０１３１】
ここで、項目選択画面Ｓ３で設定された基本機能のジョブ受付時点の設定内容を示すデータを含む基本機能単体のワークフローＷＦが既に登録されているが、基本機能と組合せ機能との組合せパターンのうち、項目選択画面Ｓ３で設定された基本機能のジョブ受付時点の設定内容でワークフローＷＦとして登録されていない組合せパターンが残っている場合がある（以下、第２の場合とする）。また、項目選択画面Ｓ３で設定された基本機能のジョブ受付時点の設定内容を示すデータを含む基本機能単体のワークフローＷＦが登録されていないが、基本機能と組合せ機能との組合せパターンのうち、全ての組合せパターンが項目選択画面Ｓ３で設定された基本機能のジョブ受付時点の設定内容でワークフローＷＦとして既に登録されている場合がある（以下、第３の場合とする）。
【０１３２】
第２の場合では、項目選択画面Ｓ３で設定された基本機能のジョブ受付時点の設定内容を示すデータを含むワークフローＷＦを基本機能単体で登録すれば、既存のワークフローＷＦと内容が重複する。一方で、項目選択画面Ｓ３で設定された基本機能のジョブ受付時点の設定内容を示すデータを含むワークフローＷＦを基本機能と組合せ機能との組合せで登録すれば、基本機能と組み合せる組合せ機能によっては、既存のワークフローＷＦと内容が重複しない場合がある。
【０１３３】
また、第３の場合では、項目選択画面Ｓ３で設定された基本機能のジョブ受付時点の設定内容を示すデータを含むワークフローＷＦを基本機能単体で登録すれば、既存のワークフローＷＦとは内容が重複しない。一方で、項目選択画面Ｓ３で設定された基本機能のジョブ受付時点の設定内容を示すデータを含むワークフローＷＦを基本機能と組合せ機能との組合せで登録すれば、既存のワークフローＷＦと内容が重複する。
【０１３４】
そこで、操作制御部１１は、第２の場合及び第３の場合のときにも、ジョブ受付時点以降、ワークフロー登録情報ＲＩを表示部１２に表示させる。ただし、第２の場合及び第３の場合に表示部１２に表示させるワークフロー登録情報ＲＩの内容を第１の場合に表示部１２に表示させるワークフロー登録情報ＲＩの内容と異ならせる。さらに、第２の場及び第３の場合に表示部１２に表示させるワークフロー登録情報ＲＩの内容も互いに異ならせる。尚、ワークフロー登録情報ＲＩとしてのメッセージの内容については特に限定されない。
【０１３５】
第２の場合、図２０に示すように、操作制御部１１は、基本機能のジョブ受付時点の設定内容を示すデータを含むワークフローＷＦが基本機能単体で登録されているが、組合せ機能と組み合せての登録もできることを示すワークフロー登録情報ＲＩ２（テキストメッセージ）を表示部１２に表示させる。また、第３の場合、図２１に示すように、操作制御部１１は、基本機能のジョブ受付時点の設定内容を示すデータを含むワークフローＷＦが組合せ機能と組み合せて登録されているが、基本機能単体でも登録できることを示すワークフロー登録情報ＲＩ３（テキストメッセージ）を表示部１２に表示させる。
【０１３６】
操作制御部１１は、ワークフロー登録情報ＲＩを表示部１２に表示させる場合、ジョブ受付時点から、リセットキーＫ３４に対するタッチ操作が行われるまでの間の所定時点に、ワークフロー登録情報ＲＩの表示を表示部１２に開始させる。例えば、操作制御部１１は、図１９〜図２１に示したように、ジョブ受付時点以降（ステータス画面Ｓ１３を表示部１２に表示させて以降）、表示画面をステータス画面Ｓ１３から項目選択画面Ｓ３に戻すとき、項目選択画面Ｓ３にワークフロー登録情報ＲＩを表示させる。この場合、例えば、ワークフロー作成キーＫ３０の表示位置の近傍にワークフロー登録情報ＲＩをポップアップ形式で表示させる。あるいは、スタートキーＫ３３に対してタッチ操作が行われた直後に、ワークフロー登録情報ＲＩの表示を開始してもよい。尚、ジョブの開始によりステータス画面Ｓ１３を表示する場合には、図２２に示すように、ステータス画面Ｓ１３にワークフロー登録情報ＲＩを配してもよい。この場合には、表示画面をステータス画面Ｓ１３から項目選択画面Ｓ３に切り替えて以降、引き続き、項目選択画面Ｓ３にワークフロー登録情報ＲＩを表示させてもよい。
【０１３７】
そして、操作制御部１１は、ワークフロー登録情報ＲＩの表示を開始してからリセットキーＫ３４に対するタッチ操作が行われるまで、ワークフロー登録情報ＲＩの表示を表示部１２に続けさせる。あるいは、ワークフロー登録情報ＲＩの表示を開始してから一定時間が経過したときに（リセットキーＫ３４に対するタッチ操作が行われる前に）、ワークフロー登録情報ＲＩの表示を停止してもよい。
【０１３８】
ワークフロー登録情報ＲＩの表示を開始して以降、リセットキーＫ３４に対するタッチ操作が行われるまでの間に、ワークフロー作成キーＫ３０に対するタッチ操作が行われると、操作制御部１１は、組合せ確認画面Ｓ５（図９参照）を表示させる。この場合、基本機能と組み合せ機能とを組み合わせたワークフローＷＦを作成するのであれば、テンプレート画面Ｓ６（図１０参照）を表示させることができる。また、基本機能単体のワークフローＷＦを作成するのであれば、テンプレート画面Ｓ６を表示させずに、利用形式設定画面Ｓ９（図１４参照）を表示させることができる。
【０１３９】
尚、第２の場合には、ワークフロー作成キーＫ３０に対してタッチ操作が行われたときに、直ちにテンプレート画面Ｓ６を表示させてもよい。また、第３の場合には、ワークフロー作成キーＫ３０に対してタッチ操作が行われたときに、直ちに利用形式設定画面Ｓ９を表示させてもよい。すなわち、第２の場合及び第３の場合には、組合せ確認画面Ｓ５の表示を省略してもよい。
【０１４０】
ところで、基本機能のジョブ受付時点の設定内容を示すデータを含む基本機能単体のワークフローＷＦが既に登録されており、かつ、基本機能と組合せ機能との組合せパターンのうち、全ての組合せパターンが基本機能のジョブ受付時点の設定内容でワークフローＷＦとして既に登録されている場合がある。この場合、操作制御部１１は、ワークフロー登録情報ＲＩを表示部１２に表示させない。また、この場合には、ワークフロー作成キーＫ３０に対するタッチ操作を無効とし、ワークフロー作成キーＫ３０に対するタッチ操作が行われても、項目選択画面Ｓ３の表示を維持してもよい。あるいは、基本機能のジョブ受付時点の設定内容を示すデータを含むワークフローＷＦの登録ができない旨を報知してもよい。
【０１４１】
（ワークフローＷＦの呼び出し）
次に、図８を用いて、登録したワークフローＷＦの呼び出し（利用）について説明する。
【０１４２】
表示入力装置１０では、図８に示すワークフロー管理画面Ｓ４において、登録されたワークフローＷＦを呼び出す（利用する）ことができる。上述のように、登録された各ワークフローＷＦに対応したキー（画像、アイコン、ワークフローキーＫ４１）として表示される。そして、使用者によってワークフローキーＫ４１に対してなされた予め定められた呼び出し操作を、操作制御部１１は、呼び出し操作がなされたワークフローキーＫ４１に対応するワークフローＷＦを呼び出す指示と認識する。言い換えると、操作制御部１１は、タッチパネル部１３の出力に基づき、記憶部１５に登録されたワークフローＷＦのなかから呼び出すワークフローＷＦを定める呼び出し操作を認識する。操作制御部１１は、複合機１００の本体側通信部１２０に向けて、利用形式設定画面Ｓ９（図１４参照）で選択された形式に応じた指示やデータを通信部１４に送信させる。
【０１４３】
主制御部１１０は、表示入力装置１０から受信した指示に基づいた動作、処理を行う。ワークフローＷＦの形式により、表示入力装置１０が、複合機１００の主制御部１１０や本体側通信部１２０に送信する指示の内容は異なる。そこで、以下、ワークフローＷＦの各方式と指示内容を説明する。
【０１４４】
（１）直接実行形式
上述のように、利用形式設定画面Ｓ９での設定によって、ワークフローＷＦを、直接実行形式のものとして登録することができる。直接実行形式のワークフローＷＦを呼び出すと、直ちにジョブを開始させることができる。
【０１４５】
具体的に、直接実行形式のワークフローＷＦを呼び出す操作がなされると、操作制御部１１は、記憶部１５に記憶され、呼び出されたワークフローＷＦの内容を参照、確認する。そして、操作制御部１１は、本体側通信部１２０にむけて、呼び出されたワークフローＷＦの実行の指示と、呼び出されたワークフローＷＦの第１機能、第１機能の設定項目、選択されている設定値（デフォルトと異なる設定値）を含むデータを通信部１４に送信させる。複合機１００の主制御部１１０は、本体側通信部１２０が受信した指示、データを認識する。
【０１４６】
また、組合せ機能が組み合わせられているとき（ワークフローに第２機能の設定内容のデータが含まれているとき）、操作制御部１１は、呼び出されたワークフローＷＦのデータを参照し、呼び出されたワークフローＷＦでの第２機能の設定内容（パスやアドレスに関する情報）を送信するデータに含めさせる。更に、操作制御部１１は、第２機能がダウンロード機能やアップロード機能であるとき、操作制御部１１は、クラウドサービスを利用するための情報（例えば、ＩＤやパスワードのような認証を受けるための情報）を送信するデータに含めさせる。言い換えると、操作制御部１１は、主制御部１１０に向けて呼び出されたワークフローＷＦの実行指示と、呼び出されたワークフローＷＦの設定内容のデータを通信部１４に送信させる。
【０１４７】
受信した指示、データに基づいて、複合機１００の主制御部１１０は、第１機能、選択された設定項目、設定値、選択された組合せ機能（第２機能）、第２機能の設定値を含むデータに基づき、読取部、印刷部、本体側通信部１２０などを動作させ、ワークフローＷＦの設定内容で定められる設定値に応じたジョブを実行させる。この直接実行形式では、呼び出されたワークフローＷＦの設定内容をそのまま反映してジョブが直ちに実行される。例えば、ワークフローＷＦ（指示、データ）で、４ｉｎ１が設定されているとき、主制御部１１０は、４ｉｎ１のジョブを実行させる。
【０１４８】
（２）ウィザード形式（対話形式）
上述のように、利用形式設定画面Ｓ９（図１４参照）での設定によって、ワークフローＷＦをウィザード形式のものとして登録することができる。ウィザード形式のワークフローＷＦを呼び出されると、操作制御部１１は、ワークフローＷＦで定められている第１機能の設定項目（設定値）の設定画面を順番に表示入力装置１０の表示部１２に表示させる。
【０１４９】
まず、ウィザード形式のワークフローＷＦを呼び出す操作がなされると、操作制御部１１は、記憶部１５にアクセスし、呼び出されたウィザード形式のワークフローＷＦのデータを参照し、ワークフローＷＦの設定内容を認識する。そして、操作制御部１１は、呼び出されたワークフローＷＦの第１機能、第１機能の設定項目、選択（設定）されている設定値（デフォルトと異なる設定値）といった設定内容に基づき、ウィザード形式で表示すべき設定項目と、各設定項目の表示順を定める。表示順は適宜定めることができる。
【０１５０】
そして、操作制御部１１は、定めた表示順で設定項目の設定画面を表示部１２に順番で表示させる。また、操作制御部１１は、タッチパネル部１３の出力に基づき、各設定画面で設定された設定値を認識する。そして、表示順で最後の設定値設定画面での入力完了操作を認識すると、操作制御部１１は、ウィザード形式での表示を表示部１２に終了させる。
【０１５１】
そして、ウィザード形式での表示が終了すると、操作制御部１１は、本体側通信部１２０（主制御部１１０）に向けて、呼び出されたワークフローＷＦの第１機能、設定項目、設定値（ウィザード形式の表示において変更があったときは変更後の設定値）を含むデータと、呼び出されたワークフローＷＦの実行指示を通信部１４から送信させる。このように、本形式では、ウィザード形式による表示の過程で設定値の変更がなされた設定項目については変更後の設定値が、設定値の変更がない設定項目についてはワークフローＷＦで定められている設定値がデータに含められる。そして、複合機１００の主制御部１１０は、本体側通信部１２０が受信した指示、データを認識する。
【０１５２】
尚、ワークフローＷＦで何れかの組合せ機能が組み合わせられているときの処理については、直接実行方式の場合と同様であるので説明を省略する。また、複合機１００の主制御部１１０は、呼び出されたワークフローＷＦの指示、データに基づいてジョブが実行される点についても直接実行方式の場合と同様であるので説明を省略する。
【０１５３】
（３）設定値呼び出し形式
上述のように、利用形式設定画面Ｓ９（図１４参照）での設定により、表示入力装置１０を呼び出したワークフローＷＦに含まれる設定値で設定された状態とする形式でワークフローＷＦを登録することができる。操作制御部１１は、ワークフローＷＦの設定内容（選択された設定項目とその設定値）を、現在の設定値を示すデータとして記憶部１５に記憶させる。言い換えると、設定値呼び出し形式のワークフローＷＦが呼び出されると、操作制御部１１は、記憶部１５に記憶される現在の各設定項目の設定値を示すデータ（現在設定値データＤ２、図１、図２参照）を更新する。
【０１５４】
具体的に、表示入力装置１０では、設定値呼び出し形式のワークフローＷＦの呼び出しがなされると、操作制御部１１は、現在設定値データＤ２に含まれるデータのうち、呼び出されたワークフローＷＦで定められている第１機能の設定項目について、ワークフローＷＦで定められた設定値に書き換える。これにより、表示入力装置１０は、ワンタッチ（１回の呼び出し操作だけ）で、ワークフローＷＦの設定内容が設定された状態となる。
【０１５５】
このように、設定値呼び出し形式のワークフローＷＦを呼び出すだけで、複数の設定項目の設定値を一度に変更することができる。また、ワークフローＷＦで定められた設定内容を再現した後、項目選択画面Ｓ３を操作して、使用者は、様々な設定を追加したり削除したりすることができる。そして、ジョブの実行が指示された時点の設定値の内容で、複合機１００の主制御部１１０は、印刷部や読取部や本体側通信部１２０にジョブを実行させる。
【０１５６】
（ワークフローＷＦの内容確認及び編集）
次に、図８及び図２３〜図２７を用いて、登録したワークフローＷＦの内容の確認及び編集を説明する。図２３は機能を組み替える編集の一例を示す図である。図２４は、機能を削除する編集の一例を示す図である。図２５は、機能を追加する編集の一例を示す図である。図２６は、設定値を変更する編集の一例を示す図である。図２７は、設定値を削除する編集の一例を示す図である。
【０１５７】
本実施形態の表示入力装置１０では、登録したワークフローＷＦの内容確認とその編集（内容変更）をすることもできる。以下、登録済みのワークフローＷＦの内容確認と編集の手順を説明する。
【０１５８】
内容確認と編集を行うとき、まず、使用者は、図８に示すワークフロー管理画面Ｓ４において、次ページキーＫ４２や前ページキーＫ４３に対する操作を行い、編集したいワークフローＷＦのワークフローキーＫ４１をワークフロー管理画面Ｓ４内に表示させる。
【０１５９】
ここで、図８に示すように、各ワークフローキーＫ４１内には、ワークフローＷＦの内容の確認、編集を行う確認編集画面Ｓ１４に移行するための情報キーＫ４４が配される。図８の例では、情報キーＫ４４を網掛けの円図形で示している。しかし、情報キーＫ４４の形状は円形に限られず、情報キーＫ４４の位置はワークフローキーＫ４１内に限られない。例えば、編集作業の意味合いをもたせるような画像（例えば、筆記具の図形）を情報キーＫ４４として、ワークフローキーＫ４１の外側に隣接するように配してもよい。
【０１６０】
操作制御部１１は、タッチパネル部１３の出力に基づき、情報キーＫ４４の表示位置へのタッチを認識する。そして、操作制御部１１は、この操作をタッチされた情報キーＫ４４が含まれるワークフローキーＫ４１に対応するワークフローＷＦを選択し、ワークフローＷＦの内容確認を開始する指示（内容確認指示）と認識する。そして、操作制御部１１は、ワークフローＷＦの内容確認と編集のための確認編集画面Ｓ１４を表示部１２に表示させる。
【０１６１】
具体的に、確認編集画面Ｓ１４でワークフローＷＦに含まれる機能（第１機能、第２機能が選択されている場合には、第１機能と第２機能）の機能の組み替え、機能削除、機能追加、設定値変更、設定項目削除のような編集作業を行うことができる。以下、内容確認と、これらの編集作業を図２３〜図２７を用いて説明する。
【０１６２】
図２３〜図２７に示す確認編集画面Ｓ１４は、ワークフローＷＦの作成、登録時の手順に組み込まれた内容確認画面Ｓ８（図１２参照）と似た画面である。尚、確認編集画面Ｓ１４は、内容確認画面Ｓ８と似ている必要はなく、別のスタイルの画面としてもよい。
【０１６３】
そして、操作制御部１１は、確認編集画面Ｓ１４内に、内容確認指示がなされたワークフローＷＦで選択されている第１機能に対応する第１機能キーＫ１４２（右側のキー）と、組み合わされている組合せ機能に対応する第２機能キーＫ１４１（左側のキー）を表示部１２に表示させる。尚、組合せ機能（第２機能）が選択されていないワークフローＷＦでは、操作制御部１１は、第２機能キーＫ１４１を表示部１２に表示させない。これにより、内容確認指示がなされたワークフローＷＦの第１機能や第２機能を確認編集画面Ｓ１４で確認することができる。
【０１６４】
第１機能キーＫ１４２の内部には、選択されている第１機能の種類が表示される。図２３〜図２７においては、ワークフローにおいて、コピー機能又は送信機能の何れかが第１機能として選択されている例を示す。第２機能キーＫ１４１の内部には、選択されている組合せ機能の種類が表示される。図２３〜図２７において、「Ｆｒｏｍ：Ｃｌｏｕｄ」は、ダウンロード機能を意味し、「Ｔｏ：Ｃｌｏｕｄ」はアップロード機能を示す。
【０１６５】
また、操作制御部１１は、確認編集画面Ｓ１４内に、現時点のワークフローＷＦにおいて選択されている第１機能の設定項目の名称と、その設定値といった設定内容を一覧形式で表示部１２に表示させる。図２３〜図２７に示す例では、ワークフローＷＦで色選択、集約印刷、部数、（印刷に用いる）用紙選択といった設定項目が選択されており、選択された設定項目の各設定値を一覧内に表示する例を示している。なお、一覧に入れるべき設定項目と設定値が多数あり、その設定項目を一度で表示し切れない場合には、予め定められたスクロール操作（たとえば、フリック操作など）で一覧の非表示の設定項目を新たに表示させることもできる。
【０１６６】
また、操作制御部１１は、ワークフローＷＦが第２機能を含むとき、確認編集画面Ｓ１４内に、現時点のワークフローＷＦで選択されている第２機能の設定内容を表示させる。
【０１６７】
具体的に、第２機能がクラウドを利用する機能（ダウンロード機能、アップロード機能）のとき、操作制御部１１は、図１１を用いて説明したのと同様に、現時点での利用するクラウドサービスや、アップロード先のパスや、ダウンロード先のパス、および、ダウンロードするデータ名といった設定内容（設定値、情報）を表示部１２に表示させる。第２機能が控え画像送信機能であるときには、操作制御部１１は、確認編集画面Ｓ１４内に控え画像送信機能の送信先のアドレスや、送信方法（ネットワーク送信かＦＡＸ送信かなど）といった設定内容（情報）を含む一覧を表示部１２に表示させる（便宜上、不図示）。尚、図２３〜図２７では、選択された第２機能に対応して、アップロード先のパスや、ダウンロード先のパス、ダウンロードするデータ名、アップロード先のフォルダー名等が設定内容として一覧に表示される例を示している。これにより、内容確認指示がなされたワークフローＷＦの第２機能の設定内容を確認編集画面Ｓ１４で確認することができる。
【０１６８】
１．機能の組み替え
次に、図２３を用いて、機能の組み替えを説明する。本実施形態の表示入力装置１０では、ワークフローＷＦに含まれる機能を組み替えることができる。第１機能を他の基本機能に組み替えることもできるし、第２機能を他の組合せ機能に組み替えることもできる。図２３は、内容確認指示がなされたワークフローＷＦの機能のうち、第２機能としてのダウンロード機能をアップロード機能に組み替える例を示している。
【０１６９】
ここで、どのような操作を機能の組み替えを行うための操作（組み替え操作）と扱うかは適宜定めることができる。例えば、操作制御部１１は、長押しのような予め定められた第１機能キーＫ１４２や第２機能キーＫ１４１の表示位置に対するジェスチャー操作を、機能の組み替え操作として認識する。あるいは、図２３に示すように、確認編集画面Ｓ１４内に変更キー１４３を配し、操作制御部１１は、変更キー１４３に対する操作を行った後、組み替える機能に対応する第１機能キーＫ１４２又は第２機能キーＫ１４１に対する操作を組み替え操作と認識するようにしてもよい。
【０１７０】
操作制御部１１は、第２機能に対する組み替え操作がなされたとき、図１０に示すような新たな組合せ機能の選ぶためのテンプレート画面Ｓ６を表示部１２に表示させる。そして、操作制御部１１は、テンプレート画面Ｓ６でなされた組合せ機能を選択する入力を、新たに組み合わせる組合せ機能を設定する入力と認識する。
【０１７１】
また、テンプレート画面Ｓ６で新たな組合せ機能が選択されると、ワークフローＷＦの作成、登録時と同様に、操作制御部１１は、利用するクラウドサービスや、アップロード先のパス、ダウンロード先のパス、ダウンロードするデータ名、控え画像送信機能の送信先のアドレス、送信方法、クラウドサービスで認証を受けるための情報などの必要事項（設定値）を設定する画面を表示させる（図１１参照）。操作制御部１１は、その画面で入力された新たな組合せ機能の必要事項（設定値）の入力を認識する。新たに選択した第２機能の設定内容を終了させる旨の入力がタッチパネル部１３になされると、操作制御部１１は、再び確認編集画面Ｓ１４を表示させる。
【０１７２】
操作制御部１１は、第１機能に対する組み替え操作がなされたとき、図１６に示すような新たな第１機能（基本機能）を選ぶための機能選択メイン画面Ｓ１１を表示部１２に表示させる。そして、操作制御部１１は、機能選択メイン画面Ｓ１１でなされた基本機能を選択する入力（基本機能キーＫ２１に対する操作）を、新たに組み合わせる第１機能を設定する入力と認識する。
【０１７３】
また、機能選択メイン画面Ｓ１１で新たな基本機能が選択されると、ワークフローＷＦの作成、登録時と同様に、操作制御部１１は、選択された第１機能に対応した項目選択画面Ｓ１２（設定項目を選択するための画面）を表示させる。例えば、編集中のワークフローＷＦでコピー機能が新たな第１機能として選択されると、図１７に示すような項目選択画面Ｓ１２が表示される。
【０１７４】
操作制御部１１は、項目選択画面Ｓ１２のうち、設定項目のグループを選択するためのグループ選択キーＫ１２２対する操作や設定項目表示領域ＳＡ内での設定項目キーＫ１２１に対する操作を認識する。そして、何れかの設定項目キーＫ１２１への操作がなされると、操作制御部１１は、選択された（タッチされた）設定項目の設定値の選択するための設定値設定画面（不図示）を表示部１２に表示させる。これらの点は、ワークフローＷＦの作成、登録時や通常の設定と同様である。これらの操作を認識することにより、操作制御部１１は、ワークフローＷＦに含める第１機能について、選択された設定項目と、選択、設定された設定値を認識する。
【０１７５】
項目選択画面Ｓ１２でＯＫキーＫ１２１への操作がなされると（新たに選択した第１機能の設定内容を終了させる旨の入力がなされると）、操作制御部１１は、新規作成するワークフローＷＦの第１機能の設定が完了したと認識する。そして、操作制御部１１は、再び確認編集画面Ｓ１４を表示させる。
【０１７６】
そして、操作制御部１１は、第１機能キーＫ１４２や第２機能キーＫ１４１のうち、組み替えられた方のキーの内部に表示する画像を、当初選択されていた機能を示すものから組み替え後の機能を示すものに切り替える（図２３の上方の図から下方の図への変化）。言い換えると、操作制御部１１は、新たに選択された機能に対応する図形や文字を含む第１機能キーＫ１４２又は第２機能キーＫ１４１を表示部１２に表示させる。
【０１７７】
このように、確認編集画面Ｓ１４では、一度登録されたワークフローＷＦの機能（第１機能又は第２機能）の変更を行うことができる。そして、操作制御部１１は、内容確認指示がなされたワークフローＷＦのデータのうち、組み替え前の機能に関するデータ（第１機能が組み替えられたときは第１機能の設定内容のデータ、第２機能が機能が組み替えられたときは第２機能の設定内容のデータ）を削除する。そして、操作制御部１１は、組み替え後の（新たに選択された）機能（第１機能又は第２機能）の設定内容（設定値）に関するデータをワークフローＷＦのデータに新たに含める更新を記憶部１５に行わせる。
【０１７８】
２．機能の削除
次に、図２４を用いて、機能の削除を説明する。第１機能を削除することもできるし、第２機能を削除することもできる。図２４は、内容確認指示がなされたワークフローＷＦでの第２機能としてのダウンロード機能を削除する例を示す。
【０１７９】
ここで、どのような操作をどのような操作を機能の削除を指示する操作（削除操作）と扱うかは適宜定めることができる。例えば、操作制御部１１は、表示領域を定められた方向に切るような第１機能キーＫ１４２や第２機能キーＫ１４１に対する予め定められたジェスチャー操作を、機能の削除操作と認識する。あるいは、図２４に示すように、確認編集画面Ｓ１４内に削除キー１４４を配し、操作制御部１１は、削除キー１４４の表示位置のタッチ後、削除する機能に対応する第１機能キーＫ１４２又は第２機能キーＫ１４１の表示位置をタッチする操作を削除操作と認識するようにしてもよい。
【０１８０】
そして、第２機能に対する削除操作がなされると、操作制御部１１は、表示部１２に当初選択されていた組合せ機能を示す第２機能キーＫ１４１を確認編集画面Ｓ１４から消させる（図２４の上方の図から下方の図への変化）。このように、確認編集画面Ｓ１４では、内容確認指示がなされたワークフローＷＦの第２機能の削除を行うことができる。そして、操作制御部１１は、内容確認指示がなされたワークフローＷＦのデータのうち、削除された組合せ機能のデータを消去する更新を記憶部１５に行わせる。
【０１８１】
また、第１機能に対する削除操作がなされると、操作制御部１１は、表示部１２に当初選択されていた第１機能を示す第１機能キーＫ１４２を確認編集画面Ｓ１４から消させる（第１機能を削除する場合については不図示）。このように、確認編集画面Ｓ１４では、内容確認指示がなされたワークフローＷＦの第１機能の削除を行うこともできる。そして、操作制御部１１は、内容確認指示がなされたワークフローＷＦのデータのうち、削除された第１機能のデータを消去する更新を記憶部１５に行わせる。
【０１８２】
３．機能の追加
次に、図２５を用いて、機能の追加を説明する。本実施形態の表示入力装置１０では、ワークフローＷＦに含まれる機能を追加することができる。第１機能をワークフローＷＦに追加することもできるし、第２機能をワークフローＷＦに追加することもできる。
【０１８３】
ここで、機能の追加を指示する操作（追加操作）と扱うかは適宜定めることができる。例えば、操作制御部１１は、空白領域に対するピンチアウトやフリック操作のような予め定められたジェスチャー操作を、追加操作と認識する。あるいは、図２５に示すように、確認編集画面Ｓ１４内に追加キー１４５を配し、操作制御部１１は、追加キーＫ１４５の表示位置をタッチする操作を第１機能又は第２機能の追加操作と認識するようにしてもよい。
【０１８４】
操作制御部１１は、第１機能が選択されて設定されている状態で追加操作がなされたとき、操作制御部１１は、図１０に示すような追加する第２機能の選ぶためのテンプレート画面Ｓ６を表示部１２に表示させる。
【０１８５】
操作制御部１１は、テンプレート画面Ｓ６でなされた第２機能を選択する入力を、新たに追加する第２機能を設定する入力と認識する。また、テンプレート画面Ｓ６で新たに追加する組合せ機能が選択されると、ワークフローＷＦの作成、登録時と同様に、操作制御部１１は、利用するクラウドサービスや、アップロード先のパス、ダウンロード先のパス、ダウンロードするデータ名、控え画像送信機能の送信先のアドレス、送信方法などの必要事項を設定する画面を表示させる（図１１参照）。そして、操作制御部１１は、その画面で入力された新たな組合せ機能の必要事項（設定値）の入力を認識する。新たに選択した第２機能の設定内容を終了させる旨の入力がタッチパネル部１３になされると、操作制御部１１は、再び確認編集画面Ｓ１４を表示させる。
【０１８６】
そして、操作制御部１１は、追加された組合せ機能を示す第２機能キーＫ１４１を確認編集画面Ｓ１４内に新たに表示させる（図２５の上方の図から下方の図への変化）。言い換えると、操作制御部１１は、追加された第２機能を示す図形や文字を含む第２機能キーＫ１４１を表示部１２に表示させる。このように、確認編集画面Ｓ１４では、ワークフローＷＦの第２機能の追加を行うことができる。そして、操作制御部１１は、内容確認指示がなされたワークフローＷＦのデータに、新たに追加された第２機能の設定内容（設定値）に関するデータを追加する更新を記憶部１５に行わせる。
【０１８７】
一方で、操作制御部１１は、第１機能が全く選択されていない状態で追加操作がなされたとき、操作制御部１１は、第１機能に対する組み替え操作がなされたとき、図１６に示すような新たな第１機能（基本機能）を選ぶための機能選択メイン画面Ｓ１１を表示部１２に表示させる。
【０１８８】
そして、操作制御部１１は、機能選択メイン画面Ｓ１１でなされた基本機能を選択する入力（基本機能キーＫ２１に対する操作）を、新たに組み合わせる第１機能を設定する入力と認識する。
【０１８９】
また、機能選択メイン画面Ｓ１１で新たな基本機能が選択されると、ワークフローＷＦの作成、登録時と同様に、操作制御部１１は、選択された第１機能に対応した項目選択画面Ｓ１２（設定項目を選択するための画面）を表示させる（図１７参照）。
【０１９０】
更に、操作制御部１１は、項目選択画面Ｓ１２のうち、設定項目のグループを選択するためのグループ選択キーＫ１２２対する操作や設定項目表示領域ＳＡ内での設定項目キーＫ１２１に対する操作を認識する。そして、何れかの設定項目キーＫ１２１への操作がなされると、操作制御部１１は、選択された（タッチされた）設定項目の設定値の選択するための設定値設定画面（不図示）を表示部１２に表示させる。これらの点は、ワークフローＷＦの作成、登録時や通常の設定と同様である。これらの操作を認識することにより、操作制御部１１は、ワークフローＷＦに追加する第１機能について、選択された設定項目と、選択、設定された設定値を認識する。
【０１９１】
項目選択画面Ｓ１２でＯＫキーＫ１２１への操作がなされると（新たに追加する第１機能の設定内容を終了させる旨の入力がなされると）、操作制御部１１は、ワークフローＷＦの第１機能の設定が完了したと認識する。そして、操作制御部１１は、再び確認編集画面Ｓ１４を表示させる。
【０１９２】
そして、操作制御部１１は、追加された機能に対応して、新たな第１機能キーＫ１４２又は第２機能キーＫ１４１を確認編集画面Ｓ１４のなかに表示させる。言い換えると、操作制御部１１は、ワークフローＷＦに第１機能の追加がなされたとき、追加された第１機能を示す図形や文字を含む第１機能キーＫ１４２を新たに表示させ、ワークフローＷＦに第１機能の追加がなされたとき、追加された第２機能を示す図形や文字を含む第２機能キーＫ１４１を新たに表示させる（図２５の上方の図から下方の図への変化）。
【０１９３】
このように、確認編集画面Ｓ１４では、ワークフローＷＦの第１機能や第２機能の追加を行うことができる。そして、操作制御部１１は、内容確認指示がなされたワークフローＷＦのデータに、第１機能が追加されたときには第１機能の設定内容を示すデータを、第２機能が追加されたときには第２機能の設定内容を示すデータを、追加する更新を記憶部１５に行わせる。
【０１９４】
４．第１機能の設定値の変更
次に、図２６を用いて、内容確認指示がなされたワークフローＷＦで設定されている第１機能の設定値の変更を説明する。図２６は、第１機能（コピー機能）について、色選択の設定項目の設定値を「フルカラー印刷」から「モノクロ印刷に」、集約印刷の設定項目の設定値を「２ｉｎ１」から「４ｉｎ１」に、部数の設定項目の設定値を「５部」から「１０部」に変更する例を示している。
【０１９５】
どのような操作を第１機能の設定値のうち、変更する設定値（設定項目）を指定する操作（変更指定操作）と扱うかは適宜定めることができる。例えば、操作制御部１１は、第１機能キーＫ１４２に付された一覧内の項目バーＢをタッチする操作を、変更する設定値（設定項目）を指定する操作と認識する。あるいは、図２６に示すように、確認編集画面Ｓ１４内に変更キー１４３を配し、操作制御部１１は、変更キーＫ１４３の表示位置に対するタッチの後、第１機能キーＫ１４２に付された項目バーＢの表示位置をタッチする操作を、第１機能のうち設定値を変更する設定項目を指定する操作と認識するようにしてもよい。
【０１９６】
変更指定操作がなされたとき、操作制御部１１は、変更を指示した設定値を変更するための画面である設定値設定画面を表示部１２に表示させる。例えば、一覧の複数の設定項目のうち、集約印刷の設定項目に対応する項目バーＢにタッチ操作がなされると、操作制御部１１は、集約印刷の設定値の選択するための画面を表示部１２に表示させる。そして、操作制御部１１は、設定値設定画面で設定値を定める入力を、変更後の設定値を定める入力と認識する。
【０１９７】
設定値設定画面での設定を終了させる旨の入力がタッチパネル部１３になされると、操作制御部１１は、再び確認編集画面Ｓ１４を表示させる。尚、設定値設定画面で設定値を選択する操作がなされると、自動的に確認編集画面Ｓ１４にもどるようになっていてもよい。
【０１９８】
そして、設定値設定画面で設定値の変更がなされたとき、操作制御部１１は、表示部１２に、第１機能キーＫ１４２に付された一覧内の設定値を、当初のものから変更後のものに切り替えさせる（図２６の上方の図から下方の図への変化）。尚、設定値の変更がなされなければ切り替えはなされない。言い換えると、操作制御部１１は、変更指定操作がなされた第１機能の設定項目について、新たな設定値（変更後の設定値）を表示部１２に表示させる。このように、確認編集画面Ｓ１４では、ワークフローＷＦで選択されている第１機能の設定項目、設定値を変更することができる。そして、操作制御部１１は、内容確認指示がなされたワークフローＷＦのデータのうち、変更された第１機能の設定値に対応する部分のデータの変更後の値への更新（書き換え）を記憶部１５に行わせる。
【０１９９】
５．第１機能の設定値（設定項目）の削除、追加
次に、図２７を用いて、内容確認指示がなされたワークフローＷＦで設定されている第１機能の設定値（設定項目）の削除を説明する。図２７は、設定値として設定されていた集約印刷の設定値を削除する例を示す。
【０２００】
どのような操作を、第１機能の設定値のうち削除する設定値を指定する操作（削除指定操作）と扱うかは適宜定めることができる。例えば、操作制御部１１は、第１機能キーＫ１４２に付された一覧のうち、削除しようとする設定値が含まれる項目バーＢの表示領域を定められた方向に切るようなジェスチャー操作を、削除する第１機能の設定値を指定する操作と認識する（図２７の上方の図参照）。あるいは、図２７に示すように、確認編集画面Ｓ１４内に削除キーＫ１４４を配し、操作制御部１１は、削除キーＫ１４４の表示位置のタッチ後、第１機能キーＫ１４２の一覧内の項目バーＢをタッチする操作を、タッチされた項目バーＢに対応する設定値の削除指定操作と認識するようにしてもよい。
【０２０１】
そして、削除指定操作を認識すると、操作制御部１１は、確認編集画面Ｓ１４のうち、当初表示していたものの、削除の指示がなされた第１機能の設定値（選択されていた設定項目）に対応する項目バーＢを一覧から消させる（図２７の上方の図から下方の図への変化）。このように、確認編集画面Ｓ１４では、登録済みのワークフローＷＦのうち、使用者が望む第１機能の設定値（設定項目）の削除を行うことができる。そして、操作制御部１１は、内容確認指示がなされたワークフローＷＦのデータから、削除が指示された第１機能の設定項目と設定値を示すデータを削除する更新（書き換え）を記憶部１５に行わせる。
【０２０２】
尚、設定値の削除だけではなく、設定項目（設定値）を、内容確認指示がなされたワークフローＷＦに追加する編集を行えるようにしてもよい。どのような操作を第１機能について設定項目と設定値の追加を指示する操作（追加指示操作）と扱うかは適宜定めることができる。例えば、操作制御部１１は、第１機能キーＫ１４２を長押しする操作を、第１機能の設定内容に、新たな設定項目と設定値の追加（新たな設定項目と設定値の選択）を指示と認識してもよい。あるいは、図２７に示すように、確認編集画面Ｓ１４内に追加キーＫ１４５を配し、操作制御部１１は、追加キーＫ１４５の表示位置に対するタッチの後、第１機能キーＫ１４２の表示位置をタッチする操作を、第１機能の設定内容に新たな設定項目と設定値を追加する指示と認識してもよい。
【０２０３】
追加指示操作を認識すると、操作制御部１１は、図１７に示すような現在の第１機能に応じた項目選択画面Ｓ１２を表示部１２に表示させる。そして、設定項目を選択する操作がなされると、操作制御部１１は、選択された設定項目に応じた設定値設定画面を表示部１２に表示させる。操作制御部１１は、これらの画面での操作を、新たな設定項目と設定値を選択する操作と認識する。
【０２０４】
項目選択画面Ｓ１２や設定値設定画面での設定を終了させる旨の入力がタッチパネル部１３になされると、操作制御部１１は、再び確認編集画面Ｓ１４を表示させる。尚、設定値設定画面で設定値を選択するためのキーへの操作がなされると、自動的に確認編集画面Ｓ１４にもどるようになっていてもよい。
【０２０５】
設定項目の追加がなされ、新たな設定値が設定されると、操作制御部１１は、表示部１２に、第１機能の一覧に新たに追加された設定項目とその設定値の文字を含む項目バーＢを追加表示させる（図２７の下方の図から上方の図への変化）。言い換えると、操作制御部１１は、追加指示操作後に新たに選択された第１機能の設定項目と設定値を確認編集画面Ｓ１４内に表示させる。このように、確認編集画面Ｓ１４では、登録済みのワークフローＷＦに第１機能の設定項目と設定値を追加することができる。そして、操作制御部１１は、内容確認指示がなされたワークフローＷＦのデータに、新たに追加された第１機能の設定項目名と設定値を示すデータを追加する更新（書き換え）を記憶部１５に行わせる。
【０２０６】
６．第２機能の設定内容の変更
操作制御部１１は、第２機能キーＫ１４１や表示された一覧に含まれる項目バーＢへの操作を認識すると、選択されている組合せ機能に応じて、図１１に示すようなクラウド設定画面Ｓ７や控え画像送信機能の送信先を設定する画面を表示部１２に表示させる。そして、操作制御部１１は、タッチパネル部１３の出力に基づき、利用するクラウドサービスや、アップロード先のパスや、ダウンロード先のパス、および、ダウンロードするデータ名、控え画像送信機能の送信先のアドレスや送信方法等の設定値（設定内容）を設定し直す入力を認識する。これにより、内容確認指示がなされたワークフローＷＦの第２機能の設定内容（設定値）を確認編集画面Ｓ１４で編集することができる。
【０２０７】
そして、内容確認指示がなされたワークフローＷＦの第２機能の設定内容の変更操作を認識したとき、操作制御部１１は、内容確認指示がなされたワークフローＷＦのデータのうち、組合せ機能の設定内容について、変更前の設定内容から変更後の設定内容への更新（書き換え）を記憶部１５に行わせる。
【０２０８】
本実施形態の表示入力装置１０は、上記のように、単体での使用が可能な基本機能及び基本機能に組み合わせての使用が可能な組合せ機能を含む複数種の機能を搭載した複合機１００（画像形成装置）に対して設定を行うためのものであって、画面を表示し、操作を受け付ける表示部１２（表示入力部）及びタッチパネル部１３（表示入力部）と、データを記憶する記憶部１５と、表示部１２の表示動作を制御するとともに、タッチパネル部１３に対して行われた操作を認識する操作制御部１１（制御部）と、を備える。そして、操作制御部１１は、表示部１２及びタッチパネル部１３に指示し、ワークフローＷＦを作成及び登録するためのワークフロー作成登録画面（組合せ確認画面Ｓ５、テンプレート画面Ｓ６、内容確認画面Ｓ８、利用形式設定画面Ｓ９及び名称設定画面Ｓ１０）を表示させて、登録する機能として選択された基本機能である第１機能、第１機能の設定内容、登録する機能として選択された組合せ機能である第２機能、及び、第２機能の設定内容、を示すデータを含む基本機能と組合せ機能とを組み合わせたワークフローＷＦを作成及び登録する操作の受け付けを行わせるとともに、登録されたワークフローＷＦを呼び出すためのワークフロー管理画面Ｓ４を表示させて、登録されたワークフローＷＦを呼び出す操作の受け付けを行わせる。また、操作制御部１１は、ワークフローＷＦの登録操作がタッチパネル部１３に対して行われたことを認識すると、ワークフローＷＦを記憶部１５に記憶させ、ワークフローＷＦの呼び出し操作がタッチパネル部１３に対して行われたことを認識すると、呼び出しを受けたワークフローＷＦに含まれるデータで示される設定内容に基づくジョブを複合機１００に実行させるための処理を行う。
【０２０９】
このように、本実施形態の構成では、基本機能（第１機能）と組合せ機能（第２機能）とを組み合わせたワークフローＷＦを作成及び登録する操作の受け付けが表示部１２及びタッチパネル部１３で行われ、そのワークフローＷＦが記憶部１５に記憶される。また、基本機能と組合せ機能とを組み合わせたワークフローＷＦが呼び出されると、そのワークフローＷＦに含まれるデータで示される設定内容に基づくジョブを複合機１００に実行させるための処理が操作制御部１１で行われる。これにより、基本機能と組合せ機能とを組み合わせたワークフローＷＦを登録することができ、そのワークフローＷＦを呼び出すだけで、基本機能と組合せ機能とを組み合せたジョブを所望の設定内容で複合機１００に実行させることができる。その結果、２つ以上の機能の各ジョブをまとめて実行したい使用者の利便性を向上させることができる。
【０２１０】
また、本実施形態では、上記のように、操作制御部１１は、ジョブ実行に際して選択された基本機能の設定項目のうち現在の設定値を変更する設定項目の選択を受け付けるための項目選択画面Ｓ３を表示部１２に表示させ、選択された設定項目の設定値を変更する操作の受け付けをタッチパネル部１３に行わせるとともに、項目選択画面Ｓ３で設定内容を設定した基本機能のジョブを複合機１００に実行させるための操作の受け付けをタッチパネル部１３に行わせる。また、操作制御部１１は、複合機１００にジョブを実行させるための操作をタッチパネル部１３が受け付けたことを認識すると、項目選択画面Ｓ３で設定された基本機能の設定内容を示すデータを複合機１００の主制御部１１０に向けて送信する。ここで、項目選択画面Ｓ３内にはワークフロー作成キーＫ３０が配されており、操作制御部１１は、ワークフロー作成キーＫ３０に対して操作が行われたことを認識すると、項目選択画面Ｓ３からワークフロー作成登録画面への表示画面の切り替えを表示部１２に行わせるとともに、項目選択画面Ｓ３で設定内容が設定された基本機能が第１機能として選択されたと認識する。そして、操作制御部１１は、項目選択画面Ｓ３からワークフロー作成登録画面への表示画面の切り替えを表示部１２に行わせるとき、項目選択画面Ｓ３で設定された設定内容を第１機能の設定内容として記憶部１５に保持させ続ける。
【０２１１】
このように構成すれば、項目選択画面Ｓ３で設定していた基本機能の設定内容をワークフローＷＦとして登録したい場合、ワークフロー作成キーＫ３０に対する操作を行うと、項目選択画面Ｓ３で設定していた基本機能が第１機能として認識され、項目選択画面Ｓ３で設定していた基本機能の設定内容が第１機能の設定内容として保持される。これにより、第１機能（項目選択画面Ｓ３で設定していた基本機能）の設定を再度行う必要がないので、使用者の利便性がより向上する。
【０２１２】
また、本実施形態では、上記のように、操作制御部１１は、ワークフロー作成キーＫ３０に対して操作が行われたとき、ワークフロー作成登録画面として、第１機能として選択した基本機能と組合せ機能とを組み合わせたワークフローＷＦを作成及び登録するか、第１機能として選択した基本機能単体のワークフローＷＦを作成及び登録するか、の選択を受け付けるための組合せ確認画面Ｓ５を表示部１２に表示させる。そして、操作制御部１１は、基本機能と組合せ機能とを組み合わせたワークフローＷＦを作成及び登録する旨が選択されたことを認識すると、基本機能と組合せ機能とを組み合わせたワークフローＷＦを作成及び登録するためのワークフロー作成登録画面を表示部１２に表示させる。これにより、基本機能と組合せ機能とを組み合わせたワークフローＷＦを登録したいときだけ、基本機能と組合せ機能とを組み合わせたワークフローＷＦを作成及び登録するためのワークフロー作成画面であるテンプレート画面Ｓ６及び内容確認画面Ｓ８を表示させることができる。すなわち、基本機能単体のワークフローＷＦを登録したいときには、テンプレート画面Ｓ６及び内容確認画面Ｓ８の表示を省略することができる。
【０２１３】
また、本実施形態では、上記のように、操作制御部１１は、基本機能と組合せ機能とを組み合わせたワークフローＷＦを作成及び登録する旨が選択されたことを認識すると、ワークフロー作成登録画面として、第１機能に組み合せる組合せ機能を選択する操作を受け付けるための画面であり、複数種の組合せ機能を選択肢として示した画面であるテンプレート画面Ｓ６を表示部１２に表示させる。そして、操作制御部１１は、第１機能に組み合せ可能な組合せ機能を選択する操作がタッチパネル部１３に対して行われると、ワークフロー作成登録画面として、第１機能、及び、テンプレート画面Ｓ６で選択された組合せ機能である第２機能のそれぞれの現在の設定内容を確認及び変更するための内容確認画面Ｓ８を表示部１２に表示させる。このようなテンプレート画面Ｓ６を用いると、第１機能に組み合わせる組合せ機能である第２機能の選択が容易になる。また、テンプレート画面Ｓ６で第２機能を選択すると、内容確認画面Ｓ８が表示されるので、第１機能及び第２機能それぞれの現在の設定内容の確認及び変更も容易に行うことができる。
【０２１４】
また、本実施形態では、上記のように、複数種の機能の１つは、オンラインストレージサービスを利用する機能であり、オンラインストレージサービスを利用する機能は、サーバー６００から複合機１００にデータをダウンロードするダウンロード機能、及び、複合機１００からサーバー６００にデータをアップロードするアップロード機能を含む。そして、テンプレート画面Ｓ６には、選択肢として、ダウンロード機能及びアップロード機能が少なくとも示される。これにより、基本機能にダウンロード機能やアップロード機能を組み合せたワークフローＷＦを登録することができる。
【０２１５】
＜第二実施形態＞
次に、本発明の一実施形態である第二実施形態について説明する。
本実施形態の構成では、操作制御部１１は、ジョブ実行に際して選択された基本機能の設定項目のうち現在の設定値を変更する設定項目の選択を受け付けるための項目選択画面Ｓ３を表示部１２に表示させ、選択された設定項目の設定値を変更する操作の受け付けをタッチパネル部１３に行わせるとともに、項目選択画面Ｓ３で設定内容を設定した基本機能のジョブを複合機１００に実行させるための操作の受け付けをタッチパネル部１３に行わせ、複合機１００にジョブを実行させるための操作をタッチパネル部１３が受け付けたことを認識すると、項目選択画面Ｓ３で設定された基本機能の設定内容を示すデータを複合機１００の主制御部１１０に向けて送信する。ここで、項目選択画面Ｓ３内には、項目選択画面Ｓ３で設定内容を設定した基本機能を第１機能とするワークフローＷＦの作成及び登録の開始指示を行うためのワークフロー作成キーＫ３０が配されるとともに、ワークフロー管理画面Ｓ４内には、ワークフローＷＦの新規作成及び登録の開始指示を行うための新規登録キーＫ４０が配される。そして、操作制御部１１は、ワークフロー作成キーＫ３０に対する操作が行われた場合、及び、新規登録キーＫ４０に対する操作が行われた場合、のいずれの場合であっても、以降のワークフローＷＦの作成及び登録の操作の受け付け過程において、第１機能に組み合わせる組合せ機能を選択する操作を受け付けるための画面であり、複数種の組合せ機能を選択肢として示した画面であるワークフロー作成登録画面としてのテンプレート画面Ｓ６を表示させるための操作の受け付けをタッチパネル部１３に行わせる。
【０２１６】
このように構成すれば、項目選択画面Ｓ３からワークフローＷＦの作成及び登録に移行する場合、及び、ワークフロー管理画面Ｓ４からワークフローＷＦの作成及び登録に移行する場合、のいずれの場合であっても、テンプレート画面Ｓ６を表示させることができる。すなわち、基本機能と組合せ機能とを組み合わせたワークフローＷＦを作成及び登録することができる。これにより、使用者の利便性がより向上する。
【０２１７】
また、本実施形態では、上記のように、操作制御部１１は、テンプレート画面Ｓ６を表示部１２が表示しているときに、タッチパネル部１３に対して、第１機能に組み合せ可能な組合せ機能を選択する操作が行われると、ワークフロー作成登録画面として、第１機能、及び、テンプレート画面Ｓ６で選択された組合せ機能である第２機能のそれぞれの現在の設定内容を確認及び変更するための内容確認画面Ｓ８を表示部１２に表示させる。これにより、第１機能及び第２機能それぞれの現在の設定内容の確認及び変更も容易に行うことができる。
【０２１８】
また、本実施形態では、上記のように、複数種の機能の１つは、オンラインストレージサービスを利用する機能であり、オンラインストレージサービスを利用する機能は、サーバー６００から複合機１００にデータをダウンロードするダウンロード機能、及び、複合機１００からサーバー６００にデータをアップロードするアップロード機能を含む。そして、テンプレート画面Ｓ６には、選択肢として、ダウンロード機能及びアップロード機能が少なくとも示される。これにより、基本機能にダウンロード機能やアップロード機能を組み合せたワークフローＷＦを登録することができる。
【０２１９】
また、本実施形態では、上記のように、操作制御部１１は、ワークフロー作成キーＫ３０に対して操作が行われたとき、ワークフロー作成登録画面として、第１機能として選択した基本機能と組合せ機能とを組み合わせたワークフローＷＦを作成及び登録するか、第１機能として選択した基本機能単体のワークフローＷＦを作成及び登録するか、の選択を受け付けるための組合せ確認画面Ｓ５を表示部１２に表示させる。そして、操作制御部１１は、基本機能と組合せ機能とを組み合わせたワークフローＷＦを作成及び登録する旨が選択されたことを認識した場合に、テンプレート画面Ｓ６を表示部１２に表示させる。これにより、基本機能と組合せ機能とを組み合わせたワークフローＷＦを登録したいときだけ、基本機能と組合せ機能とを組み合わせたワークフローＷＦを作成及び登録するためのワークフロー作成画面であるテンプレート画面Ｓ６及び内容確認画面Ｓ８を表示させることができる。すなわち、基本機能単体のワークフローＷＦを登録したいときには、テンプレート画面Ｓ６及び内容確認画面Ｓ８の表示を省略することができる。
【０２２０】
＜第三実施形態＞
次に、本発明の一実施形態である第三実施形態について説明する。
本実施形態の構成では、操作制御部１１は、ジョブ実行に際して選択された基本機能の設定項目のうち現在の設定値を変更する設定項目の選択を受け付けるための項目選択画面Ｓ３を表示部１２に表示させ、選択された設定項目の設定値を変更する操作の受け付けをタッチパネル部１３に行わせるとともに、項目選択画面Ｓ３で設定内容を設定した基本機能のジョブを複合機１００に実行させるための操作の受け付けをタッチパネル部１３に行わせ、複合機１００にジョブを実行させるための操作をタッチパネル部１３が受け付けたことを認識すると、項目選択画面Ｓ３で設定された基本機能の設定内容を示すデータを複合機１００の主制御部１１０に向けて送信する。そして、項目選択画面Ｓ３で設定内容を設定した基本機能のジョブを複合機１００に実行させるための操作をタッチパネル部１３が受け付けた時点であるジョブ受付時点において、項目選択画面Ｓ３で設定された基本機能の設定内容を示すデータを含むワークフローＷＦが登録されていない場合、操作制御部１１は、ジョブ受付時点以降、項目選択画面Ｓ３で設定された基本機能のジョブ受付時点の設定内容をワークフローＷＦとして登録できる旨を報知するためのワークフロー登録情報ＲＩ（ＲＩ１）を表示部１２に表示させる。
【０２２１】
このように構成すれば、現在の設定内容を示すデータを含むワークフローＷＦが登録されているか否かを使用者に認識させることができる。このため、例えば、現在の設定内容を示すデータを含むワークフローＷＦが既に登録されているにもかかわらず、現在の設定内容を示すデータを含むワークフローＷＦを作成及び登録する操作（無駄な操作）が使用者により行われるのを抑制することができる。したがって、使用者の利便性がより向上する。
【０２２２】
また、本実施形態では、上記のように、項目選択画面Ｓ３で設定された基本機能のジョブ受付時点の設定内容を示すデータを含む基本機能単体のワークフローＷＦが既に登録されているが、基本機能と組合せ機能との組合せパターンのうち、項目選択画面Ｓ３で設定された基本機能のジョブ受付時点の設定内容でワークフローＷＦとして登録されていない組合せパターンが残っている場合、操作制御部１１は、ジョブ受付時点以降、ワークフロー登録情報ＲＩとして、基本機能と組合せ機能とを組み合せたワークフローＷＦをジョブ受付時点の設定内容で登録できる旨を報知するための情報（ワークフロー登録情報ＲＩ２）を表示部１２に表示させる。また、項目選択画面Ｓ３で設定された基本機能のジョブ受付時点の設定内容を示すデータを含む基本機能単体のワークフローＷＦが登録されていないが、基本機能と組合せ機能との組合せパターンのうち、全ての組合せパターンが項目選択画面Ｓ３で設定された基本機能のジョブ受付時点の設定内容でワークフローＷＦとして既に登録されている場合、操作制御部１１は、ジョブ受付時点以降、ワークフロー登録情報ＲＩとして、基本機能単体のワークフローＷＦを登録できる旨を報知するための情報（ワークフロー登録情報ＲＩ３）を表示部１２に表示させる。これにより、ワークフローの登録状況をより詳細に使用者に報知することができる。
【０２２３】
また、本実施形態では、上記のように、項目選択画面Ｓ３内には、表示画面を項目選択画面Ｓ３からワークフロー作成登録画面に切り替えるためのワークフロー作成キーＫ３０が配される。そして、操作制御部１１は、ジョブ受付時点以降、項目選択画面Ｓ３内に、ワークフロー登録情報ＲＩを表示部１２に表示させる。これにより、ワークフロー登録情報ＲＩを確認した後、必要であれば、直ちに表示画面をワークフロー作成登録画面に切り替えることができる。
【０２２４】
また、本実施形態では、上記のように、操作制御部１１は、ワークフロー作成キーＫ３０に対して操作が行われたとき、ワークフロー作成登録画面として、第１機能として選択した基本機能と組合せ機能とを組み合わせたワークフローＷＦを作成及び登録するか、第１機能として選択した基本機能単体のワークフローＷＦを作成及び登録するか、の選択を受け付けるための組合せ確認画面Ｓ５を表示部１２に表示させる。そして、操作制御部１１は、基本機能と組合せ機能とを組み合わせたワークフローＷＦを作成及び登録する旨が選択されたことを認識すると、基本機能と組合せ機能とを組み合わせたワークフローＷＦを作成及び登録するためのワークフロー作成画面を表示部１２に表示させる。これにより、基本機能と組合せ機能とを組み合わせたワークフローＷＦを登録したいときだけ、基本機能と組合せ機能とを組み合わせたワークフローＷＦを作成及び登録するためのワークフロー作成画面であるテンプレート画面Ｓ６及び内容確認画面Ｓ８を表示させることができる。すなわち、基本機能単体のワークフローＷＦを登録したいときには、テンプレート画面Ｓ６及び内容確認画面Ｓ８の表示を省略することができる。
【０２２５】
また、本実施形態では、上記のように、操作制御部１１は、基本機能と組合せ機能とを組み合わせたワークフローＷＦを作成及び登録する旨が選択されたことを認識すると、ワークフロー作成登録画面として、第１機能に組み合わせる組合せ機能を選択する操作を受け付けるための画面であり、複数種の組合せ機能を選択肢として示した画面であるテンプレート画面Ｓ６を表示部１２に表示させ、第１機能に組み合せ可能な組合せ機能を選択する操作がタッチパネル部１３に対して行われると、ワークフロー作成登録画面として、第１機能、及び、テンプレート画面Ｓ６で選択された組合せ機能である第２機能のそれぞれの現在の設定内容を確認及び変更するための内容確認画面Ｓ８を表示部１２に表示させる。このようなテンプレート画面Ｓ６を用いると、第１機能に組み合わせる組合せ機能である第２機能の選択が容易になる。また、テンプレート画面Ｓ６で第２機能を選択すると、内容確認画面Ｓ８が表示されるので、第１機能及び第２機能それぞれの現在の設定内容の確認及び変更も容易に行うことができる。
【０２２６】
また、本実施形態では、上記のように、複数種の機能の１つは、オンラインストレージサービスを利用する機能であり、オンラインストレージサービスを利用する機能は、サーバー６００から複合機１００にデータをダウンロードするダウンロード機能、及び、複合機１００からサーバー６００にデータをアップロードするアップロード機能を含む。そして、テンプレート画面Ｓ６には、選択肢として、ダウンロード機能及びアップロード機能が少なくとも示される。これにより、基本機能にダウンロード機能やアップロード機能を組み合せたワークフローＷＦを登録することができる。
【０２２７】
＜第四実施形態＞
次に、本発明の一実施形態である第四実施形態について説明する。
典型的な複写機、複合機、プリンター、ＦＡＸ装置等の画像形成装置では、多機能化が進み、設定できる事項（設定項目）や設定可能な設定値の種類は非常に多い。使用者は、所望の結果を得るのに必要な設定項目の全てを用意された設定項目の中から選ぶ作業や、選択した設定項目で適切な設定値を選ぶ作業を行う。特に、印刷機能、原稿の読み取り機能、画像データの送信機能のような複数の機能を複合的に兼ね備えた複合機では選択し得る設定項目、設定値は多い。そのため、所望の結果を得るために、設定手順は複雑となりやすく設定に時間を要する場合がある。
【０２２８】
このような使用者の設定作業の煩わしさを軽減する工夫の１つとして、後日、同様の設定での印刷を簡単に行えるように、設定内容（選択した設定項目やその設定値）を記憶（登録）できるようにすることがある。具体的には、表示装置に印刷設定条件画面を表示し、印刷設定条件画面には複数の印刷設定条件項目が表示され、印刷設定条件画面に、現在設定されている印刷設定条件に名称を付けて登録可能とするための名称登録領域と、現在設定されている印刷設定条件を表示する印刷設定条件表示領域を表示し、印刷設定装置は、名称登録領域に入力された登録名称を現在設定されている印設定条件に関連付けて記憶装置に記憶させる印刷設定装置が記載されている。この構成により、同条件で再度印刷を実行したい場合のために印刷設定条件を記憶するとき、画面上に現在の印刷設定条件状態を表示し、印刷設定条件状態を確認しながら登録名称を入力することを可能とする技術がある。
【０２２９】
このような典型的な技術では、よく用いられる設定項目、設定条件（設定値）の組合せを記憶できるようにすることがある。例えば、消費用紙を少なくするときには、集約印刷（例えば、２ｉｎ１や４ｉｎ１）と、両面印刷が組み合わされる場合が多い。また、原稿を読み取って得た画像データの送信データ量を減らすとき、低い読取解像度、モノクロ読み取り、ページ集約といった設定項目、設定値が組み合わされる場合が多い。そして、よく組み合わされる設定内容（設定項目、設定値の組合せ）を記憶しておけば、同様の設定内容のジョブを後日実行したいとき、設定内容（設定条件）を呼び出す操作を行うだけで、設定内容と同じ内容のジョブを行うことができる。
【０２３０】
ここで、複合機のような画像形成装置は、印刷（例えば、コピー）、原稿読み取り（スキャン）、画像データのようなデータ送信といった複数の機能（ジョブの種類）を併せ持つ。しかし、複数の機能（ジョブの種類）を持つ装置では、従来、複数の機能（ジョブの種類）を組み合わせて設定内容を記憶させることはできない。複数の機能（ジョブの種類）を持つ装置では、単一の機能の範囲で設定内容の登録が可能である。
【０２３１】
例えば、ある設定内容でコピージョブを行うともに、コピージョブで得られる印刷物と同内容の画像データを送信する定期的な作業（業務）があるとき、コピー機能については、所望の結果が得られる設定項目、設定値を選択し、コピー機能の設定内容を記憶させておく。また、画像データの送信についても同様に、送信機能の設定内容を記憶させておく。そして、この定期的な作業を後に行う時点では、登録しておいたコピー機能の設定内容を呼び出してコピージョブを実行し、コピージョブ完了後、登録しておいた送信機能の設定内容を呼び出してから送信ジョブを実行する、といった手順が踏まれる。
【０２３２】
このように、従来、設定内容の記憶は、単一の機能（ジョブの種類）の範囲でのみ可能であり、複数の機能を組み合わせて設定内容を記憶することができず、不便であるという問題がある。言い換えると、１つの設定内容を呼び出しても、複数の機能を連携して動作させることはできない。
【０２３３】
また、画像形成装置単体では実現できないような新たな機能（例えば、クラウドを利用したデータの送受信サービス）を画像形成装置で利用できるようにしたい場合がある。しかし、従来、複数の機能を組み合わせて設定内容を記憶できないので、例えば、クラウド機能と、印刷や送信機能のような画像形成装置が持つ基本機能とを連携させてジョブを実行することができず不便であるという問題もある。また、これらの機能の連携は、複雑な設定や、ソフトウェア的な知識が別途必要になる場合もあり、容易ではない場合があるという問題がある。
【０２３４】
尚、上述の典型的な技術では、プリンターを利用するとき印刷条件を記憶させるものであって、プリンター機能単体の範囲で設定条件（設定内容）を記憶させるものである。従って、この技術では、上記の問題を解決することはできない。
【０２３５】
本実施形態は、高度な専門的知識を有さなくても、複数の機能（種類が異なるジョブ）を組み合わせたワークフローの作成、登録を可能とし、ワークフローの作成、登録の手順をわかりやすいものとする。
【０２３６】
具体的に、本実施形態の構成では、表示入力装置１０（操作パネル２００、携帯情報端末３００）は、使用者により作成、登録され、呼び出すことにより含まれるデータに基づいた設定、ジョブの実行を行うためのワークフローＦＷを記憶する記憶部１５（パネル記憶部２１２、端末記憶部３０２）と、画面を表示する表示部１２（パネル表示部２０２、端末表示部３０３）と、表示部１２に対して設けられ、タッチ位置を検知し使用者の操作を受け付けるためのタッチパネル部１３（本体タッチパネル部２０３、端末タッチパネル部３０４）とを含む表示入力部と、表示入力部の出力に基づき、使用者による設定操作を認識し、記憶部１５に登録されたワークフローＦＷのなかから、呼び出すワークフローＦＷを定める呼び出し操作がなされたことを認識する制御部（操作制御部１１、パネル制御部２０１、端末制御部３０１）と、を備える。そして、表示部１２は、機能、設定項目、設定値の選択を最初から行ってワークフローＦＷの新規作成、登録の開始指示を行うための新規登録キーＫ４０を表示し、制御部は、新規登録キーＫ４０への操作を認識したことによる新規のワークフローＦＷの作成、登録の過程で、表示入力部の出力に基づいて複数の予め定められた基本機能のなかから新規作成するワークフローＦＷで用いる機能として選択された第１機能と、第１機能で選択された設定項目及び設定値を第１機能の設定内容と認識し、更に、予め定められた組合せ機能のなかから第１機能に組み合わせる機能を選択するためのテンプレート画面Ｓ６を表示入力部に表示させ、表示入力部の出力に基づきテンプレート画面Ｓ６で選択された組合せ機能である第２機能と、第２機能の設定内容を認識し、第２機能が選択されていないときには第１機能の設定内容のデータを、第２機能が選択されたときには第１機能の設定内容のデータと第２機能の設定内容のデータを新規のワークフローＦＷとして記憶部１５に新規に登録させる。
【０２３７】
これにより、ワークフローＦＷにおける基本機能（ジョブの種類）を選択するとともに、テンプレート画面Ｓ６で第１機能に組み合わせる組合せ機能としての第２機能を選択可能とすることで、異なる機能（ジョブの種類）の設定内容を組み合わせてワークフローＦＷとして記憶させることができる。従って、ワークフローＦＷを呼び出すだけで、複数の機能を連携させてジョブを実行させることや、このようなジョブに関する設定、入力を行うことができる。
【０２３８】
しかも、新規のワークフローＦＷの作成、登録の過程では、第１機能に組合せる組合せ機能を選ぶには、組合せ用のテンプレート画面Ｓ６内で第２機能を選択する操作を行えばよい。しかもテンプレート画面Ｓ６上で第２機能の設定を行える。このように、第１機能に第２機能を組合せたワークフローＦＷの作成では、ソフトウェア分野のような専門的知識は必要なく、極めて簡単に行うことができ、機能と機能を組み合わせる手法は使用者にとってわかりやすい。
【０２３９】
また、組合せ機能のうちの１つは、クラウドからジョブに用いるデータをダウンロードするダウンロード機能である。そして、制御部（操作制御部１１、パネル制御部２０１、端末制御部３０１）は、新規のワークフローＦＷの作成、登録の過程におけるダウンロード機能の選択と、設定入力されたダウンロード元のパスを認識し、ダウンロード元のパスを示すデータを含むワークフローＦＷの登録を記憶部１５（パネル記憶部２１２、端末記憶部３０２）に行わせ、呼び出し操作がなされたワークフローＦＷでダウンロード機能が組み合わされているとき、呼び出し操作がなされたワークフローＦＷで定められたダウンロード元のパスで示される場所からジョブに用いるデータのダウンロードを操作対象としての画像形成装置（複合機１００）に行わせるとともに、ダウンロードされたデータに呼び出し操作がなされたワークフローＦＷの第１機能の設定内容を適用したジョブを画像形成装置に行わせる。
【０２４０】
これにより、画像形成装置（複合機１００）が備える基本機能と、クラウドサービスに関するダウンロード機能を組み合わせ、第１機能とダウンロード機能が連携するワークフローＦＷを作成、登録することができる。また、ワークフローＦＷを呼び出すことで、複雑な設定を行うことなく第１機能とダウンロード機能が連携するジョブの実行や、ジョブの設定を行うことができる。しかも、ソフトウェアに関する専門的知識がなくても、表示入力部への入力だけで第１機能とダウンロード機能が連携するワークフローＦＷを作成することができる。
【０２４１】
また、組合せ機能のうちの１つは、第１機能のジョブの実行結果を示す控え画像データをクラウドにアップロードするアップロード機能である。制御部（操作制御部１１、パネル制御部２０１、端末制御部３０１）は、新規のワークフローＦＷの作成、登録の過程におけるアップロード機能の選択と、設定入力されたアップロード先のパスを認識し、アップロード先のパスを示すデータを含むワークフローＦＷの登録を記憶部１５（パネル記憶部２１２、端末記憶部３０２）に行わせ、呼び出し操作がなされたワークフローＦＷでアップロード機能が組み合わされているとき、呼び出し操作がなされたワークフローＦＷの第１機能の設定内容を適用したジョブを操作対象としての画像形成装置（複合機１００）に行わせるとともに、アップロード先のパスで示される場所に控え画像データのアップロードを行わせる。
【０２４２】
これにより、画像形成装置（複合機１００）が備える基本機能と、クラウドサービスに関するアップロード機能を組み合わせ、第１機能とアップロード機能が連携するワークフローＦＷを作成、登録することができる。また、ワークフローＦＷを呼び出すことで、複雑な設定を行うことなく第１機能とアップロード機能が連携するジョブの実行や、ジョブの設定を行うことができる。しかも、ソフトウェアに関する専門的知識がなくても、表示入力部への入力だけで第１機能とアップロード機能が連携するワークフローＦＷを作成することができる。
【０２４３】
また、組合せ機能のうちの１つは、第１機能のジョブの実行結果を示す控え画像データを指定の送信先に送信する控え画像送信機能である。制御部（操作制御部１１、パネル制御部２０１、端末制御部３０１）は、新規のワークフローＦＷの作成、登録の過程における控え画像送信機能の選択と、設定入力された控え画像データの宛先を認識し、宛先を示すデータを含むワークフローＦＷの登録を記憶部１５（パネル記憶部２１２、端末記憶部３０２）に行わせ、呼び出し操作がなされたワークフローＦＷで控え画像送信機能が組み合わされているとき、呼び出し操作がなされたワークフローＦＷの第１機能の設定内容を適用したジョブを操作対象としての画像形成装置（複合機１００）に行わせるとともに、宛先への控え画像データの送信を行わせる。
【０２４４】
これにより、画像形成装置（複合機１００）が備える基本機能と、控え画像送信機能を組み合わせ、第１機能と控え画像送信機能が連携するワークフローＦＷを作成、登録することができる。また、ワークフローＦＷを呼び出すことで、複雑な設定を行うことなく第１機能と控え画像送信機能が連携するジョブの実行や、ジョブの設定を行うことができる。しかも、ソフトウェアに関する専門的知識がなくても、表示入力部への入力だけで第１機能と控え画像送信機能が連携するワークフローＦＷを作成することができる。
【０２４５】
また、表示入力部は、設定画面の階層上の最上位の画面として初期画面Ｓ１を表示し、初期画面Ｓ１の１つ下の階層の画面としてワークフローＦＷの呼び出しを行えるワークフロー管理画面Ｓ４を表示し、新規登録キーＫ４０は、ワークフロー管理画面Ｓ４と初期画面Ｓ１の何れか一方、又は、両方に表示する
【０２４６】
これにより、新規登録キーＫ４０を表示するまでに多くの階層を降りていく場合に比べ、容易にワークフローＦＷを作成、登録（ワークフロー登録モード）を開始することができる。従って、新規のワークフローＦＷの作成、登録や、登録されたワークフローＦＷの活用を促すことができる。各利用者がワークフローＦＷを利用する頻度が今までよりも増えるので、各使用者の設定入力に要する時間や労力を減らすことができる。
【０２４７】
また、制御部（操作制御部１１、パネル制御部２０１、端末制御部３０１）は、新規のワークフローＦＷの作成、登録の過程において、ワークフローＦＷをどのように利用するか設定するための利用形式設定画面Ｓ９を表示入力部に表示させ、ワークフローＦＷの利用形式として、呼び出すと直ちにジョブ実行を実行する形式と、呼び出すと第１機能の各設定項目の設定値設定画面を順番にウィザード形式で表示する形式と、呼び出すと表示入力装置１０（操作パネル２００、携帯情報端末３００）をワークフローＦＷで定められた設定値で設定された状態とする形式のなかから選択された形式を認識する。
【０２４８】
これにより、ワークフローＦＷを呼び出したときの振る舞いを新規のワークフローＦＷの作成、登録時に、選択的に設定することができる。そして、所望の形式を設定しておくことで、使用者が所望する態様でワークフローＦＷを用いることができる。
【０２４９】
また、実施形態に係る画像形成装置（複合機１００）は、上述の表示入力装置１０（操作パネル２００、携帯情報端末３００）を含む。これにより、異なる機能が組み合わされたワークフローＦＷが呼び出すと、複数の機能を連携してジョブを実行する画像形成装置（複合機１００）を提供することができる。しかも、上述の表示入力装置１０を含むので、複数の機能を連携させるワークフローＦＷの新規作成及び登録のための操作が容易であり、使いやすい画像形成装置を提供することができる。
【０２５０】
以上まとめると、本実施形態によれば、複数の機能（種類が異なるジョブ）を組み合わせたワークフローの作成、登録を行うことができる。ワークフローの作成、登録の手順をわかりやすいものとする。また、高度な専門的知識を要することなく、複数の機能が組み合わせられ、呼び出すと複数の機能が連携して動作するワークフローを容易に、登録、作成することができる。
【０２５１】
＜第五実施形態＞
次に、本発明の一実施形態である第五実施形態について説明する。
上述のような典型的な技術では、設定内容の記憶は、単一の機能（ジョブの種類）についてのみ可能であり、複数の機能を組み合わせて設定内容を記憶することができず、不便であるという問題がある。
【０２５２】
そこで、複数の機能（複数のジョブの種類）に跨がるように、複数の機能の設定内容を組み合わせて記憶することが考えられる。しかし、複数の機能の設定内容を組み合わせるので、単一の機能の設定内容を記憶する場合に比べ、設定内容は複雑となり内容を確認しづらくなるという問題がある。また、記憶させるべき設定内容が単一機能の設定内容を記憶させるときに比べ増えるので、使用者が所望する結果が得られるように、１回で各機能の設定を間違い無く行うことが難しいという問題もある。
【０２５３】
尚、上述の典型的な技術では、プリンターを利用するとき印刷条件を記憶させるものであって、単体の機能（プリンター機能）の範囲で設定条件（設定内容）を記憶させるものである。従って、特許文献１記載の技術では、上記の問題を解決することはできない。
【０２５４】
本実施形態は、複数の機能の設定内容を組み合わせて記憶したとき、記憶させた各機能の設定内容を容易に確認できるようにするとともに、記憶させた設定内容の編集を柔軟に行えるようにする。
【０２５５】
具体的に、本実施形態の構成では、表示入力装置１０は、使用者により作成、登録され、呼び出すことにより含まれるデータに基づいた設定、ジョブの実行を行うためのワークフローＦＷを記憶する記憶部１５（パネル記憶部２１２、端末記憶部３０２）と画面を表示する表示部１２（パネル表示部２０２、端末表示部３０３）と、表示部１２に対して設けられ、タッチ位置を検知し使用者の操作を受け付けるタッチパネル部１３（本体タッチパネル部２０３、端末タッチパネル部３０４）とを含む表示入力部と、表示入力部の出力に基づき、使用者による設定の操作を認識し、記憶部１５（パネル記憶部２１２、端末記憶部３０２）に登録されたワークフローＦＷのなかから呼び出すワークフローＦＷを定める呼び出し操作がなされたことを認識する制御部（操作制御部１１、パネル制御部２０１、端末制御部３０１）と、を備える。そして、記憶部１５は、予め定められた基本機能のなかから用いる機能として選択された第１機能について第１機能で選択された設定項目及び設定値を含む第１機能の設定内容のデータをワークフローＦＷのデータとして記憶し、更に、第１機能と予め定められた組合せ機能を組み合わせることが定められたワークフローＦＷでは、第１機能の設定内容のデータとともに、組み合わせられた組合せ機能である第２機能の設定内容のデータをワークフローＦＷのデータとして記憶する。また、制御部は、表示入力部の出力に基づき、登録されたワークフローＦＷのなかから内容確認を行うワークフローＦＷを選ぶ内容確認指示を認識すると、確認編集画面Ｓ１４を表示入力部に表示させ、確認編集画面Ｓ１４内に内容確認指示がなされたワークフローＦＷの第１機能の設定内容と、組合せ機能が組み合わされていれば、第２機能の設定内容を表示入力部に表示させる。
【０２５６】
これにより、第１機能のみ、あるいは、第１機能と第２機能が組み合わされたワークフローＦＷの内容を確認することができる。そして、第１機能と第２機能が組み合わされたワークフローＦＷの場合では、表示部１２（パネル表示部２０２、端末表示部３０３）は、１画面内に第１機能の設定内容と、第２機能の設定内容を表示し得る。従って、第１機能と第２機能のそれぞれについて、現在どのような設定がなされているかがわかりやすい態様で表示され、使用者は、容易にワークフローＦＷの内容の確認を行うことができる。
【０２５７】
また、制御部（操作制御部１１、パネル制御部２０１、端末制御部３０１）は、確認編集画面Ｓ１４でワークフローＦＷに含まれる第１機能又は第２機能を別の機能に組み替える組み替え操作がなされたことを認識し、組み替え操作がなされたとき、組み合わせる機能を選択するための画面（テンプレート画面Ｓ６、機能選択メイン画面Ｓ１１、項目選択画面Ｓ１２）を表示させ、画面での新たに組み合わせる機能を選択する入力と新たに組み合わせる機能の設定内容を認識し、内容確認指示がなされたワークフローＦＷのデータのうち組み替え前の機能に関するデータを削除するとともに、内容確認指示がなされたワークフローＦＷのデータに、新たに組み合わせられた機能の設定内容のデータを新たに含める更新を記憶部１５（パネル記憶部２１２、端末記憶部３０２）に行わせる。
【０２５８】
これにより、ワークフローＦＷで現在選択されている第１機能、第２機能のうち、いずれかの機能を別の機能にかけかえることができる。従って、ワークフローＦＷの作成、登録時に第１機能、又は、第２機能の選択に誤りがあっても、ワークフローＦＷの登録後、容易に正しい機能に正すことができる。しかも、複数機能を組み合わせた複雑なワークフローＦＷの修正に、ソフトウェア的な専門知識は必要ない。このように、ワークフローＦＷの設定内容を柔軟に編集することができる。しかも、組み替えない方の機能の設定内容は、そのまま生かされるので、複数の機能の設定内容を組み合わせたワークフローＦＷの作成時に基本機能や組合せ機能の選択を誤っても、正しい設定内容のワークフローＦＷを一から作成させるような負担を使用者に負わせない。
【０２５９】
又、制御部（操作制御部１１、パネル制御部２０１、端末制御部３０１）は、確認編集画面Ｓ１４でワークフローＦＷに含まれる第１機能又は第２機能を削除する削除操作がなされたことを認識し、内容確認指示がなされたワークフローＦＷのデータから、削除操作がなされた機能のデータの消去を記憶部１５（パネル記憶部２１２、端末記憶部３０２）に行わせる。
【０２６０】
これにより、ワークフローＦＷの作成、登録時に誤って選択した（ワークフローＦＷに含めてしまった）第１機能又は第２機能を、後に削除することができる。従って、ワークフローＦＷの作成、登録時に機能の選択を誤っても、複数の機能が組み合わせたワークフローＦＷの登録後に、使用者が所望する内容に容易に正すことができる。また、複数機能を組み合わせた複雑なワークフローＦＷから一方の機能を削除する修正に、ソフトウェア的な専門知識は必要ない。このように、ワークフローＦＷの設定内容を柔軟に編集することができる。しかも、削除しない方の設定内容は、そのまま残されるので、ワークフローＦＷの作成時に機能を誤って加えても、ワークフローＦＷを一から作成させるような負担を使用者に負わせない。
【０２６１】
また、制御部（操作制御部１１、パネル制御部２０１、端末制御部３０１）は、確認編集画面Ｓ１４で新たに第１機能又は第２機能を追加する追加操作がなされたことを認識し、追加操作がなされたことを認識したとき、追加する機能を選択するための画面（テンプレート画面Ｓ６、機能選択メイン画面Ｓ１１、項目選択画面Ｓ１２）を表示させ、追加する機能を選択する入力と追加する機能の設定内容を認識し、追加された機能の設定内容のデータを、内容確認指示がなされたワークフローＦＷのデータに追加する更新を記憶部１５（パネル記憶部２１２、端末記憶部３０２）に行わせる。
【０２６２】
これにより、ワークフローＦＷの作成、登録時に機能を加え忘れても、容易に所望の機能を追加することができる。また、含まれる機能を追加することで、複数の機能が組み合わされた複雑なワークフローＦＷとするのにソフトウェア的な専門知識は必要がない。従って、このように、ワークフローＦＷの設定内容を柔軟に編集することができる。しかも、第１機能の設定内容は、そのまま生かされるので、組み合わせる機能を設定し忘れたワークフローＦＷを作成しても、ワークフローＦＷを一から作成させるような負担を使用者に負わせない。
【０２６３】
また、制御部（操作制御部１１、パネル制御部２０１、端末制御部３０１）は、内容確認指示がなされたワークフローＦＷのうち、第２機能の設定内容を設定し直す入力を認識し、内容確認指示がなされたワークフローＦＷのデータのうち、第２機能の設定内容について、変更前の設定内容から変更後の設定内容への更新を記憶部１５（パネル記憶部２１２、端末記憶部３０２）に行わせる。
【０２６４】
この構成によれば、これにより、複数の機能を含むワークフローＦＷの作成、登録時、第２機能での設定内容（設定値）の誤りを正すことができる。従って、ワークフローＦＷに含める第２機能の設定内容を柔軟に編集することもできる。このように、後に修正できるので、ワークフローＦＷの作成、登録時に完全に間違い無く第２機能の設定を行うことが求められず、使用者が所望する内容のワークフローＦＷの作成の難易度を下げることができる。
【０２６５】
また、制御部（操作制御部１１、パネル制御部２０１、端末制御部３０１）は、表示入力部の出力に基づき、確認編集画面Ｓ１４で内容確認指示がなされたワークフローＦＷに含まれる第１機能の設定項目と設定値の変更、削除、追加を行う操作を認識し、確認編集画面Ｓ１４でなされた第１機能の設定項目と設定値に対する変更、削除又は追加の操作に応じて、内容確認指示がなされたワークフローＦＷのデータのうち第１機能の設定内容のデータの更新を記憶部１５（パネル記憶部２１２、端末記憶部３０２）に行わせる。
【０２６６】
これにより、複数の機能を含むワークフローＦＷの作成、登録時において、第１機能の設定内容（設定項目、設定値）の誤りを正すことができる。このように、ワークフローＦＷで組み合わされている第１機能の設定内容を柔軟に編集することもできる。従って、第１機能の設定項目や設定値を誤ったワークフローＦＷを作成しても、ワークフローＦＷを一から作成させるような負担を使用者に負わせない。
【０２６７】
また、第２機能は、第１機能のジョブに用いるデータをクラウドからダウンロードするダウンロード機能、第１機能のジョブの実行結果を示す控え画像データをクラウドにアップロードするアップロード機能、第１機能のジョブの実行結果を示す控え画像データを指定の宛先に送信する控え画像送信機能の何れか１つ又は複数である。
【０２６８】
これにより、クラウドサービスに関するダウンロード機能やアップロード機能や、控え画像送信機能を第２機能として、これらの機能と第１機能と連携させて画像形成装置（複合機１００）を動作させることができる。
【０２６９】
また、制御部（操作制御部１１、パネル制御部２０１、端末制御部３０１）は、呼び出し操作がなされたワークフローＦＷについて、ワークフローＦＷのデータに基づき直ちにジョブ実行を行わせる形式、呼び出すと第１機能の各設定項目の設定値設定画面を順番にウィザード形式で表示する形式、又は、呼び出すと表示入力装置１０をワークフローＦＷで定められた設定値で設定された状態とする形式のうち、ワークフローＦＷで定められた何れか１つの形式での処理が行われるための制御を行う。
【０２７０】
これにより、ワークフローＦＷを呼び出したときの振る舞いに多様性、選択性を持たせることができる。そして、ワークフローＦＷで所望の形式を設定しておくことで、使用者が所望する態様でワークフローＦＷを用いることができる。
【０２７１】
また、実施形態に係る画像形成装置（複合機１００）は、上述の表示入力装置１０を含む。これにより、異なる機能が組み合わされたワークフローＦＷが呼び出すと、複数の機能を連携してジョブを実行する画像形成装置を提供することができる。しかも、複数の機能を連携させるワークフローＦＷの内容の確認や編集を容易に行え、使用者の所望のジョブ結果が容易に得られる画像形成装置を提供することができる。
【０２７２】
以上まとめると、本実施形態により、複数の機能を組み合わせたワークフローや、単一機能のワークフローが記憶されているとき、ワークフローの設定内容のわかりやすく確認できる。
【０２７３】
なお、今回開示された各実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【産業上の利用可能性】
【０２７４】
本発明は、モーターを用いて用紙の給紙を行う給紙装置に利用可能である。
【図１】
2015156159.tif 000003
【図２】
2015156159.tif 000004
【図３】
2015156159.tif 000005
【図４】
2015156159.tif 000006
【図５】
2015156159.tif 000007
【図６】
2015156159.tif 000008
【図７】
2015156159.tif 000009
【図８】
2015156159.tif 000010
【図９】
2015156159.tif 000011
【図１０】
2015156159.tif 000012
【図１１】
2015156159.tif 000013
【図１２】
2015156159.tif 000014
【図１３】
2015156159.tif 000015
【図１４】
2015156159.tif 000016
【図１５】
2015156159.tif 000017
【図１６】
2015156159.tif 000018
【図１７】
2015156159.tif 000019
【図１８】
2015156159.tif 000020
【図１９】
2015156159.tif 000021
【図２０】
2015156159.tif 000022
【図２１】
2015156159.tif 000023
【図２２】
2015156159.tif 000024
【図２３】
2015156159.tif 000025
【図２４】
2015156159.tif 000026
【図２５】
2015156159.tif 000027
【図２６】
2015156159.tif 000028
【図２７】
2015156159.tif 000029
【国際調査報告】
2015156159.tif 000030
2015156159.tif 000031
2015156159.tif 000032
2015156159.tif 000033